(57)【要約】      （修正有）【課題】入出力プラグ構成の違う接続機器に対し、音声入力と音声出力とを自動認識する。【解決手段】入出力兼用ジャック１と前記入出力兼用ジャック１を通常用信号経路とプラグ判別用信号経路のいずれに接続するかを選択するスイッチ３、スイッチ４と前記通常用信号経路を信号入力用経路と信号出力用経路のいずれに接続するかを選択するスイッチ５、スイッチ６と前記プラグ判別用信号経路と電源電圧の印加端との間に接続された電位発生用抵抗と前記プラグ判別用信号経路に現れる電位発生信号と所定の閾値電圧とを比較して比較結果信号を生成する比較部８と前記セレクタの接続切換制御を行う制御部９とを有し、制御部９はプラグ判別動作時には、前記入出力兼用ジャック１を前記プラグ判別用信号経路に接続するように制御し、前記電位発生信号が前記閾値電圧よりも高いときには、前記通常用信号経路を前記信号入力用経路に接続するように、制御する。【選択図】図８
2011217228.tif 000002
【特許請求の範囲】
【請求項１】
入出力兼用ジャックと；
前記入出力兼用ジャックを通常用信号経路とプラグ判別用信号経路のいずれに接続するかを選択する第１セレクタと；
前記通常用信号経路を信号入力用経路と信号出力用経路のいずれに接続するかを選択する第２セレクタと；
前記プラグ判別用信号経路と電源電圧の印加端との間に接続された電位発生用抵抗と；
前記プラグ判別用信号経路に現れる電位発生信号と所定の閾値電圧とを比較して比較結果信号を生成する比較部と；
前記第１セレクタ及び前記第２セレクタの接続切換制御を行う制御部と；
を有し、
前記制御部は、
前記入出力兼用ジャックに接続されたプラグの種類を判別するプラグ判別動作時には、前記入出力兼用ジャックを前記プラグ判別用信号経路に接続するように前記第１セレクタを制御し、
通常動作時には、前記入出力兼用ジャックを前記通常用信号経路に接続するように前記第１セレクタを制御するとともに、前記プラグ判別動作時に得られた前記比較結果信号に基づいて、前記電位発生信号が前記閾値電圧よりも高いと判断されるときには、前記通常用信号経路を前記信号入力用経路に接続するように、逆に、前記電位発生信号が前記閾値電圧よりも低いと判断されるときには、前記通常用信号経路を前記信号出力用経路に接続するように、前記第２セレクタを制御することを特徴とする電子装置。
【請求項２】
前記信号入力用経路を第１信号入力用経路と第２信号入力用経路のいずれに接続するかを選択する第３セレクタをさらに有し、
前記比較回路は、前記閾値電圧として、第１閾値電圧とこれよりも高い第２閾値電圧を備え、前記電位発生信号と前記第１閾値電圧及び前記第２閾値電圧とを各々比較して前記比較結果信号を生成するものであり、
前記制御部は、
前記プラグ判別動作時には、前記入出力兼用ジャックを前記プラグ判別用信号経路に接続するように前記第１セレクタを制御し、
前記通常動作時には、前記入出力兼用ジャックを前記通常用信号経路に接続するように前記第１セレクタを制御するとともに、前記プラグ判別動作時に得られた前記比較結果信号に基づいて、
前記電位発生信号が前記第２閾値電圧よりも高いと判断されるときには、前記通常用信号経路を前記信号入力用経路に接続した上で、さらに、前記信号入力用経路を前記第１信号入力用経路に接続するように、
また、前記電位発生信号が前記第１閾値電圧よりも高く、前記第２閾値電圧よりも低いと判断されるときには、前記通常用信号経路を前記信号入力用経路に接続した上で、さらに、前記信号入力用経路を前記第２信号入力用経路に接続するように、
また、前記電位発生信号が前記第１閾値電圧よりも低いと判断されるときには、前記通常用信号経路を前記信号出力用経路に接続するように、
前記第２セレクタ及び前記第３セレクタを各々制御することを特徴とする請求項１に記載の電子装置。
【請求項３】
前記入出力兼用ジャックは、これに挿入されたプラグとの接点として、第１端子と第２端子を備えており、
前記第１セレクタ、前記第２セレクタ、前記第３セレクタ、前記電位発生用抵抗、前記通常用信号経路、前記プラグ判別用信号経路、前記信号入力用経路、前記第１信号入力用経路、前記第２信号入力用経路、及び、前記信号出力用経路は、前記第１端子と前記第２端子に各々対応して２系統設けられていることを特徴とする請求項２に記載の電子装置。
【請求項４】
２系統設けられた前記第２信号入力用経路のうち、前記第２端子に対応して設けられた系統を使用状態とするか不使用状態とするかを選択する第４セレクタをさらに有し、
前記比較回路は、２系統設けられた前記プラグ判定用信号経路に各々現れる電位発生信号が一致しているか否かを示す一致判定信号をさらに生成するものであり、
前記制御部は、
前記プラグ判別動作時には、前記入出力兼用ジャックを前記プラグ判別用信号経路に接続するように前記第１セレクタを制御し、
前記通常動作時には、前記入出力兼用ジャックを前記通常用信号経路に接続するように前記第１セレクタを制御するとともに、前記プラグ判別動作時に得られた前記比較結果信号及び前記一致判定信号に基づいて、
２系統の前記電位発生信号がいずれも前記第２閾値電圧よりも高いと判断されるときには、前記通常用信号経路を前記信号入力用経路に接続した上で、さらに、前記信号入力用経路を前記第１信号入力用経路に接続するように、
また、２系統の前記電位発生信号がいずれも前記第１閾値電圧よりも高く、前記第２閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、
また、前記第１端子に対応する前記電位発生信号が前記第１閾値電圧よりも高く、前記第２閾値電圧よりも低いと判断される一方で、前記第２端子に対応する前記電位発生信号が前記第１閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、
また、２系統の前記電位発生信号がいずれも前記第１閾値電圧よりも低いと判断されるときには、前記通常用信号経路を前記信号出力用経路に接続するように、
前記第２セレクタ、前記第３セレクタ、及び、前記第４セレクタを各々制御することを特徴とする請求項３に記載の電子装置。
【請求項５】
２系統設けられた前記信号出力用経路のうち、前記第２端子に対応して設けられた系統を使用状態とするか不使用状態とするかを選択する第５セレクタと；
前記第１端子及び前記第２端子に各々対応して設けられ、前記電位発生用抵抗として択一的に用いられる第１抵抗及びこれよりも低抵抗値の第２抵抗と；
前記第１端子及び前記第２端子に各々対応して設けられ、前記電位発生用抵抗として前記第１抵抗を用いるか前記第２抵抗を用いるかを選択する第６セレクタと；
をさらに有し、
前記比較回路は、前記閾値電圧として、前記第１閾値電圧及び前記第２閾値電圧とは異なる第３閾値電圧を備え、前記電位発生用抵抗として前記第１抵抗が選択されている場合には、前記電位発生信号と前記第１閾値電圧及び前記第２閾値電圧とを各々比較して前記比較結果信号を生成する一方、前記電位発生用抵抗として前記第２抵抗が選択されている場合には、前記電位発生信号と前記第３閾値電圧とを比較して前記比較結果信号を生成するものであり、
前記制御部は、
前記プラグ判別動作時には、前記入出力兼用ジャックを前記プラグ判別用信号経路に接続するように前記第１セレクタを制御するとともに、前記比較結果信号及び前記一致判定信号に基づいて前記第６セレクタを制御し、
前記通常動作時には、前記入出力兼用ジャックを前記通常用信号経路に接続するように前記第１セレクタを制御するとともに、前記プラグ判別動作時に得られた前記比較結果信号及び前記一致判定信号に基づいて、
前記電位発生用抵抗として前記第１抵抗が選択されている状態で、２系統の前記電位発生信号がいずれも前記第２閾値電圧よりも高いと判断されるときには、前記通常用信号経路を前記信号入力用経路に接続した上で、さらに、前記信号入力用経路を前記第１信号入力用経路に接続するように、
また、前記電位発生用抵抗として前記第１抵抗が選択されている状態で、２系統の前記電位発生信号がいずれも前記第１閾値電圧よりも高く、前記第２閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、
また、前記電位発生用抵抗として前記第１抵抗が選択されている状態で、前記第１端子に対応する前記電位発生信号が前記第１閾値電圧よりも高く、前記第２閾値電圧よりも低いと判断される一方で、前記第２端子に対応する前記電位発生信号が前記第１閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、
また、前記電位発生用抵抗として前記第１抵抗が選択されている状態で、２系統の前記電位発生信号がいずれも前記第１閾値電圧よりも低いと判断された結果、前記電位発生用抵抗が前記第１抵抗から前記第２抵抗に切り替えられ、前記電位発生用抵抗として前記第２抵抗が選択されている状態で、２系統の前記電位発生信号がいずれも前記第３閾値電圧よりも高いと判断されるときには、前記通常用信号経路を前記信号出力用経路に接続した上で、さらに、２系統設けられた前記信号出力用経路のうち、前記第２端子に対応して設けられた系統を使用状態とするように、
また、前記電位発生用抵抗として前記第１抵抗が選択されている状態で、２系統の前記電位発生信号がいずれも前記第１閾値電圧よりも低いと判断された結果、前記電位発生用抵抗が前記第１抵抗から前記第２抵抗に切り替えられ、前記電位発生用抵抗として前記第２抵抗が選択されている状態で、前記第１端子に対応する前記電位発生信号が前記第３閾値電圧よりも高いと判断される一方で、前記第２端子に対応する前記電位発生信号が前記第３閾値電圧よりも低いと判断されるときには、前記通常用信号経路を前記信号出力用経路に接続した上で、さらに、２系統設けられた前記信号出力用経路のうち、前記第２端子に対応して設けられた系統を不使用状態とするように、
前記第２セレクタ、前記第３セレクタ、前記第４セレクタ、及び、前記第５セレクタを各々制御することを特徴とする請求項４に記載の電子装置。
【請求項６】
入出力兼用ジャックと；
前記入出力兼用ジャックを通常用信号経路とプラグ判別用信号経路のいずれに接続するかを選択する第１セレクタと；
前記通常用信号経路を信号入力用経路と信号出力用経路のいずれに接続するかを選択する第２セレクタと；
前記プラグ判別用信号経路に現れる電圧信号を平滑化して平滑電圧信号を生成する平滑部と；
前記平滑電圧信号と所定の閾値電圧とを比較して比較結果信号を生成する比較部と；
前記第１セレクタ及び前記第２セレクタの接続切換制御を行う制御部と；
を有し、
前記制御部は、
前記入出力兼用ジャックに接続されたプラグの種類を判別するプラグ判別動作時には、前記入出力兼用ジャックを前記プラグ判別用信号経路に接続するように前記第１セレクタを制御し、
通常動作時には、前記入出力兼用ジャックを前記通常用信号経路に接続するように前記第１セレクタを制御するとともに、前記プラグ判別動作時に得られた前記比較結果信号に基づいて、前記平滑電圧信号が前記閾値電圧よりも高いと判断されるときには、前記通常用信号経路を前記信号入力用経路に接続するように、逆に、前記平滑電圧信号が前記閾値電圧よりも低いと判断されるときには、前記通常用信号経路を前記信号出力用経路に接続するように、前記第２セレクタを制御することを特徴とする電子装置。
【発明の詳細な説明】
【技術分野】
【０００１】
本発明は電子装置に関する。
【背景技術】
【０００２】
近年、ホームシアター装置などのＡＶ（Audio Visual）機器をはじめとする電子装置では、ＭＰ３プレーヤ音声入力ジャックやヘッドホン音声出力ジャックを備えたものがある。
【０００３】
例えば、従来の電子装置１１０の回路構成図を図２９に示す。図２９に示すように、従来の電子装置１１０はヘッドホン出力ジャック１００とＭＰ３プレーヤ入力ジャック１０１をそれぞれ備えている。そして、ヘッドホン音声Ｒ信号出力回路１０２からヘッドホン音声出力Ｒ信号Ｓ１２を端子１００ｂを通してヘッドホン出力ジャック１００へ出力し、ヘッドホン音声Ｌ信号出力回路１０４からヘッドホン音声出力Ｌ信号Ｓ１０を端子１００ａを通して、ヘッドホン出力ジャック１００へ出力する。
【０００４】
また、ＭＰ３プレーヤ入力ジャック１０１から端子１０１ａを通して、ＭＰ３プレーヤ音声入力Ｌ信号Ｓ１１をＭＰ３音声Ｌ信号入力回路１０５へ出力し、ＭＰ３プレーヤ入力ジャック１０１から端子１０１ｂを通して、ＭＰ３プレーヤ音声入力Ｒ信号Ｓ１３をＭＰ３音声Ｒ信号入力回路１０３へ出力する。
【０００５】
しかし、近年の小型化されている電子装置では、音声や映像に関わる入出力ジャックの装備は、厳しい物理的制約によりヘッドホン音声出力ジャック又はＭＰ３プレーヤ音声入力ジャックの単一のジャックのみを搭載するのが一般的である。そうすると、ヘッドホン音声出力ジャック又はＭＰ３プレーヤ音声入力ジャックのいずれか１つしか備えていない。このような電子装置では、ユーザのニーズに乏しく、利便性に欠ける問題があった。
【０００６】
このため、ヘッドホン音声出力ジャック又はＭＰ３プレーヤ音声入力ジャックを兼用化して、電子装置を小型化しながらも利便性を確保する従来技術が幾つかの技術文献に開示されている。（例えば特許文献１〜５参照）。
【先行技術文献】
【特許文献】
【０００７】
【特許文献１】特開平０８−１６３６８６号公報
【特許文献２】特開平１０−１３６４８３号公報
【特許文献３】特開２００４−４２８４１９号公報
【特許文献４】特開２００１−０８６４１６号公報
【特許文献５】特開平０６−０６２３８２号公報
【発明の概要】
【発明が解決しようとする課題】
【０００８】
しかしながら、上記特許文献では、入出力プラグ構成の違う接続機器に対して、自動認識するものではないという問題がある。また、使用する入出力プラグの形状が限定的であるという問題がある。そうすると、ユーザのニーズに乏しく、利便性に欠ける問題があった。
【０００９】
この発明は上記のような課題を解決するためになされたもので、音声ジャックを１つしか備えていない電子装置において、入出力プラグ構成の違う接続機器に対して、音声入力と音声出力とを自動認識することができる電子装置を得ることを目的とする。
【課題を解決するための手段】
【００１０】
上記課題を解決するために、本発明に係る電子装置は、入出力兼用ジャックと；前記入出力兼用ジャックを通常用信号経路とプラグ判別用信号経路のいずれに接続するかを選択する第１セレクタと；前記通常用信号経路を信号入力用経路と信号出力用経路のいずれに接続するかを選択する第２セレクタと；前記プラグ判別用信号経路と電源電圧の印加端との間に接続された電位発生用抵抗と；前記プラグ判別用信号経路に現れる電位発生信号と所定の閾値電圧とを比較して比較結果信号を生成する比較部と；前記第１セレクタ及び前記第２セレクタの接続切換制御を行う制御部と；を有し、前記制御部は、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタを制御するとともに、前記プラグ判別動作時に得られた前記比較結果信号に基づいて、前記電位発生信号が前記閾値電圧よりも高いと判断されるときには、前記通常用信号経路を前記信号入力用経路に接続するように、逆に、前記電位発生信号が前記閾値電圧よりも低いと判断されるときには、前記通常用信号経路を前記信号出力用経路に接続するように、前記第２セレクタを制御することを特徴とする。
【００１１】
この構成によると、第１セレクタは、入出力兼用ジャックと前記入出力兼用ジャックを通常用信号経路とプラグ判別用信号経路のいずれに接続するかを選択する。第２セレクタは、前記通常用信号経路を信号入力用経路と信号出力用経路のいずれに接続するかを選択する。比較部において、前記プラグ判別用信号経路に現れる電位発生信号と所定の閾値電圧とを比較して比較結果信号を生成する比較する。そして、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタを制御するとともに、前記プラグ判別動作時に得られた前記比較結果信号に基づいて、前記電位発生信号が前記閾値電圧よりも高いと判断されるときには、前記通常用信号経路を前記信号入力用経路に接続するように、逆に、前記電位発生信号が前記閾値電圧よりも低いと判断されるときには、前記通常用信号経路を前記信号出力用経路に接続するように、前記第２セレクタを制御する。
【００１２】
また、本発明に係る電子装置は、前記信号入力用経路を第１信号入力用経路と第２信号入力用経路のいずれに接続するかを選択する第３セレクタをさらに有し、前記比較回路は、前記閾値電圧として、第１閾値電圧とこれよりも高い第２閾値電圧を備え、前記電位発生信号と前記第１閾値電圧及び前記第２閾値電圧とを各々比較して前記比較結果信号を生成するものであり、前記制御部は、前記プラグ判別動作時には、前記入出力兼用ジャックを前記プラグ判別用信号経路に接続するように前記第１セレクタを制御し、前記通常動作時には、前記入出力兼用ジャックを前記通常用信号経路に接続するように前記第１セレクタを制御するとともに、前記プラグ判別動作時に得られた前記比較結果信号に基づいて、前記電位発生信号が前記第２閾値電圧よりも高いと判断されるときには、前記通常用信号経路を前記信号入力用経路に接続した上で、さらに、前記信号入力用経路を前記第１信号入力用経路に接続するように、また、前記電位発生信号が前記第１閾値電圧よりも高く、前記第２閾値電圧よりも低いと判断されるときには、前記通常用信号経路を前記信号入力用経路に接続した上で、さらに、前記信号入力用経路を前記第２信号入力用経路に接続するように、また、前記電位発生信号が前記第１閾値電圧よりも低いと判断されるときには、前記通常用信号経路を前記信号出力用経路に接続するように、前記第２セレクタ及び前記第３セレクタを各々制御することを特徴とする。
【００１３】
また、本発明に係る電子装置は、前記入出力兼用ジャックは、これに挿入されたプラグとの接点として、第１端子と第２端子を備えており、前記第１セレクタ、前記第２セレクタ、前記第３セレクタ、前記電位発生用抵抗、前記通常用信号経路、前記プラグ判別用信号経路、前記信号入力用経路、前記第１信号入力用経路、前記第２信号入力用経路、及び、前記信号出力用経路は、前記第１端子と前記第２端子に各々対応して２系統設けられていることを特徴とする。
【００１４】
また、本発明に係る電子装置は、２系統設けられた前記第２信号入力用経路のうち、前記第２端子に対応して設けられた系統を使用状態とするか不使用状態とするかを選択する第４セレクタをさらに有し、前記比較回路は、２系統設けられた前記プラグ判定用信号経路に各々現れる電位発生信号が一致しているか否かを示す一致判定信号をさらに生成するものであり、前記制御部は、前記プラグ判別動作時には、前記入出力兼用ジャックを前記プラグ判別用信号経路に接続するように前記第１セレクタを制御し、前記通常動作時には、前記入出力兼用ジャックを前記通常用信号経路に接続するように前記第１セレクタを制御するとともに、前記プラグ判別動作時に得られた前記比較結果信号及び前記一致判定信号に基づいて、２系統の前記電位発生信号がいずれも前記第２閾値電圧よりも高いと判断されるときには、前記通常用信号経路を前記信号入力用経路に接続した上で、さらに、前記信号入力用経路を前記第１信号入力用経路に接続するように、また、２系統の前記電位発生信号がいずれも前記第１閾値電圧よりも高く、前記第２閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、また、前記第１端子に対応する前記電位発生信号が前記第１閾値電圧よりも高く、前記第２閾値電圧よりも低いと判断される一方で、前記第２端子に対応する前記電位発生信号が前記第１閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、また、２系統の前記電位発生信号がいずれも前記第１閾値電圧よりも低いと判断されるときには、前記通常用信号経路を前記信号出力用経路に接続するように、前記第２セレクタ、前記第３セレクタ、及び、前記第４セレクタを各々制御することを特徴とする。
【００１５】
また、本発明に係る電子装置は、２系統設けられた前記信号出力用経路のうち、前記第２端子に対応して設けられた系統を使用状態とするか不使用状態とするかを選択する第５セレクタと；前記第１端子及び前記第２端子に各々対応して設けられ、前記電位発生用抵抗として択一的に用いられる第１抵抗及びこれよりも低抵抗値の第２抵抗と；前記第１端子及び前記第２端子に各々対応して設けられ、前記電位発生用抵抗として前記第１抵抗を用いるか前記第２抵抗を用いるかを選択する第６セレクタと；をさらに有し、前記比較回路は、前記閾値電圧として、前記第１閾値電圧及び前記第２閾値電圧とは異なる第３閾値電圧を備え、前記電位発生用抵抗として前記第１抵抗が選択されている場合には、前記電位発生信号と前記第１閾値電圧及び前記第２閾値電圧とを各々比較して前記比較結果信号を生成する一方、前記電位発生用抵抗として前記第２抵抗が選択されている場合には、前記電位発生信号と前記第３閾値電圧とを比較して前記比較結果信号を生成するものであり、前記制御部は、前記プラグ判別動作時には、前記入出力兼用ジャックを前記プラグ判別用信号経路に接続するように前記第１セレクタを制御するとともに、前記比較結果信号及び前記一致判定信号に基づいて前記第６セレクタを制御し、前記通常動作時には、前記入出力兼用ジャックを前記通常用信号経路に接続するように前記第１セレクタを制御するとともに、前記プラグ判別動作時に得られた前記比較結果信号及び前記一致判定信号に基づいて、前記電位発生用抵抗として前記第１抵抗が選択されている状態で、２系統の前記電位発生信号がいずれも前記第２閾値電圧よりも高いと判断されるときには、前記通常用信号経路を前記信号入力用経路に接続した上で、さらに、前記信号入力用経路を前記第１信号入力用経路に接続するように、また、前記電位発生用抵抗として前記第１抵抗が選択されている状態で、２系統の前記電位発生信号がいずれも前記第１閾値電圧よりも高く、前記第２閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、また、前記電位発生用抵抗として前記第１抵抗が選択されている状態で、前記第１端子に対応する前記電位発生信号が前記第１閾値電圧よりも高く、前記第２閾値電圧よりも低いと判断される一方で、前記第２端子に対応する前記電位発生信号が前記第１閾値電圧よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、また、前記電位発生用抵抗として前記第１抵抗が選択されている状態で、２系統の前記電位発生信号がいずれも前記第１閾値電圧よりも低いと判断された結果、前記電位発生用抵抗が前記第１抵抗から前記第２抵抗に切り替えられ、前記電位発生用抵抗として前記第２抵抗が選択されている状態で、２系統の前記電位発生信号がいずれも前記第３閾値電圧よりも高いと判断されるときには、前記通常用信号経路を前記信号出力用経路に接続した上で、さらに、２系統設けられた前記信号出力用経路のうち、前記第２端子に対応して設けられた系統を使用状態とするように、また、前記電位発生用抵抗として前記第１抵抗が選択されている状態で、２系統の前記電位発生信号がいずれも前記第１閾値電圧よりも低いと判断された結果、前記電位発生用抵抗が前記第１抵抗から前記第２抵抗に切り替えられ、前記電位発生用抵抗として前記第２抵抗が選択されている状態で、前記第１端子に対応する前記電位発生信号が前記第３閾値電圧よりも高いと判断される一方で、前記第２端子に対応する前記電位発生信号が前記第３閾値電圧よりも低いと判断されるときには、前記通常用信号経路を前記信号出力用経路に接続した上で、さらに、２系統設けられた前記信号出力用経路のうち、前記第２端子に対応して設けられた系統を不使用状態とするように、前記第２セレクタ、前記第３セレクタ、前記第４セレクタ、及び、前記第５セレクタを各々制御することを特徴とする。
【００１６】
また、本発明に係る電子装置は、入出力兼用ジャックと；前記入出力兼用ジャックを通常用信号経路とプラグ判別用信号経路のいずれに接続するかを選択する第１セレクタと；前記通常用信号経路を信号入力用経路と信号出力用経路のいずれに接続するかを選択する第２セレクタと；前記プラグ判別用信号経路に現れる電圧信号を平滑化して平滑電圧信号を生成する平滑部と；前記平滑電圧信号と所定の閾値電圧とを比較して比較結果信号を生成する比較部と；前記第１セレクタ及び前記第２セレクタの接続切換制御を行う制御部と；を有し、前記制御部は、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタを制御するとともに、前記プラグ判別動作時に得られた前記比較結果信号に基づいて、前記平滑電圧信号が前記閾値電圧よりも高いと判断されるときには、前記通常用信号経路を前記信号入力用経路に接続するように、逆に、前記平滑電圧信号が前記閾値電圧よりも低いと判断されるときには、前記通常用信号経路を前記信号出力用経路に接続するように、前記第２セレクタを制御することを特徴とする。
【発明の効果】
【００１７】
本発明によると、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタを制御するとともに、前記プラグ判別動作時に得られた前記比較結果信号に基づいて、前記電位発生信号が前記閾値電圧よりも高いと判断されるときには、前記通常用信号経路を前記信号入力用経路に接続するように、逆に、前記電位発生信号が前記閾値電圧よりも低いと判断されるときには、前記通常用信号経路を前記信号出力用経路に接続するように、前記第２セレクタを制御するので、入出力兼用ジャックを自動で判別することができる。従って、ユーザのニーズに応じた利便性のよい電子装置を提供することができる。また、例えば、別々にヘッドホン音声出力ジャックとＭＰ３プレーヤ音声入力ジャックなどを設ける必要がなく、電子装置のコンパクト化も同時に提供できる。
【図面の簡単な説明】
【００１８】
【図１】本発明に係る電子装置の機能ブロック図の一例である。
【図２Ａ】本発明に係る電子装置の回路配置図の一例である。
【図２Ｂ】本発明に係る電子装置の正面図の一例である。
【図３】本発明に係る電子装置の回路構成図の第２実施形態の一例である。
【図４Ａ】本発明に係る電子装置で使用する３極ステレオプラグの一例である。
【図４Ｂ】本発明に係る電子装置で使用する３極モノラルプラグの一例である。
【図４Ｃ】本発明に係る電子装置で使用する２極モノラルプラグの一例である。
【図５】本発明に係る電子装置のタイミングチャートの一例である。
【図６】本発明に係る電子装置のタイミングチャートの一例である。
【図７Ａ】本発明に係る電子装置の動作図の一例である。
【図７Ｂ】本発明に係る電子装置の動作図の一例である。
【図７Ｃ】本発明に係る電子装置の動作図の一例である。
【図８】本発明に係る電子装置の回路構成図の第２実施形態の一例である。
【図９】一般的なヘッドホンの等価回路図の一例である。
【図１０Ａ】本発明に係るＭＰ３プレーヤの等価回路図の一例である。
【図１０Ｂ】本発明に係るＭＰ３プレーヤの等価回路図の一例である。
【図１１】本発明に係る電子装置のタイミングチャートの一例である。
【図１２】本発明に係る電子装置のタイミングチャートの一例である。
【図１３Ａ】本発明に係る電子装置の動作図の一例である。
【図１３Ｂ】本発明に係る電子装置の動作図の一例である。
【図１３Ｃ】本発明に係る電子装置の動作図の一例である。
【図１４】本発明に係る電子装置の回路構成図の第３実施形態の一例である。
【図１５】一般的なマイクの等価回路図の一例である。
【図１６】本発明に係る電子装置のロジック部の一例である。
【図１７】本発明に係る電子装置のタイミングチャートの一例である。
【図１８】本発明に係る電子装置のタイミングチャートの一例である。
【図１９】本発明に係る電子装置のタイミングチャートの一例である。
【図２０Ａ】本発明に係る電子装置の動作図の一例である。
【図２０Ｂ】本発明に係る電子装置の動作図の一例である。
【図２０Ｃ】本発明に係る電子装置の動作図の一例である。
【図２１】本発明に係る電子装置の回路構成図の第４実施形態の一例である。
【図２２】本発明に係る電子装置のロジック部の一例である。
【図２３】本発明に係る電子装置のタイミングチャートの一例である。
【図２４】本発明に係る電子装置のタイミングチャートの一例である。
【図２５】本発明に係る電子装置のタイミングチャートの一例である。
【図２６】本発明に係る電子装置のタイミングチャートの一例である。
【図２７】本発明に係る電子装置のタイミングチャートの一例である。
【図２８Ａ】本発明に係る電子装置の動作図の一例である。
【図２８Ｂ】本発明に係る電子装置の動作図の一例である。
【図２８Ｃ】本発明に係る電子装置の動作図の一例である。
【図２８Ｄ】本発明に係る電子装置の動作図の一例である。
【図２９】従来の電子装置の回路図の一例である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
まず図１を参照しながら、本実施形態に係る利用形態について簡単に説明する。図１は、本実施形態に係る電子装置８５を用いた機能ブロック図の一例を示す。
【００２１】
電子装置８５は、ホームシアター装置として好適に適用可能である。また、電子装置８５は、ＦＬ表示管６０と、ＭＰ３入力回路６１と、外部音声入力回路６２と、外部映像入力回路６３と、外部映像出力回路６４と、入力切換回路６５と、ＡＤＣ（ＡＤコンバータ）６６と、各種スイッチ６７と、マイコン回路９（制御部）と、電源回路６９と、電源スイッチ７０と、ローダー装置７１と、ＤＩＳＣデータ処理・ローダー管理制御回路７２と、音声信号処理回路７３と、デジタルアンプ回路７４と、ヘッドホン回路７５を有する。
【００２２】
ＦＬ表示管６０はマイコン回路９に接続されており、マイコン回路９による制御のもと、日付や時刻、テレビ放送信号の受信チャンネル、録画動作中である旨などを表示する。
【００２３】
ＭＰ３入力回路６１は入力切換回路６５に接続されており、外部からＭＰ３信号を受け付ける回路である。外部音声入力回路６２は入力切換回路６５に接続されており、外部から音声端子としてRCA端子などから音声信号を受け付ける回路である。
【００２４】
外部映像入力回路６３はＡＤＣ（ＡＤコンバータ）６６へ接続されており、外部からの映像の入力を受け付ける回路である。外部映像出力回路６４はＤＩＳＣデータ処理・ローダー管理制御回路７２と接続されており、ＤＩＳＣデータ処理・ローダー管理制御回路７２からの信号を受けて、外部へ映像を出力する回路である。外部映像出力回路６４はビデオドライバ７６を通じて動作する。
【００２５】
入力切換回路６５は、ＭＰ３入力回路６１と外部音声入力回路６２とＡＤＣ６６とに接続されており、所定の条件によって、ＭＰ３入力回路６１からの出力か、外部音声入力回路６２かを切り換え、ＡＤＣ６６へ出力する。
【００２６】
各種スイッチ６７は、マイコン回路９へ接続されており、再生、停止、巻き戻しなどのボタン操作の入力を受け付ける。マイコン回路９は、各ブロックの管理・制御を行う。電源回路６９はマイコン回路９に接続されており、マイコン回路９の制御のもとで、各種電源へと出力し、例えば電源オンやスタンバイ等の管理・制御がされる。ＡＣ電源入力を受け付ける回路である。電源スイッチ７０はマイコン回路９に接続されており、ユーザからの電源のオン／オフの操作を受け付ける。
【００２７】
ローダー装置７１はＤＩＳＣデータ処理・ローダー管理制御回路７２と接続されており、電子装置８５で利用されるＤＩＳＣの挿入や取出を行う。ＤＩＳＣデータ処理・ローダー管理制御回路７２は、ローダー装置７１とＡＤＣ６６と外部映像出力回路６４などと接続されており、電子装置８５で利用されるＤＩＳＣデータ処理・ローダー管理制御を行う。
【００２８】
音声信号処理回路７３は、ＤＩＳＣデータ処理・ローダー管理制御回路７２とデジタルアンプ回路７４とヘッドホン回路７５などと接続されており、音声信号を処理する回路である。デジタルアンプ回路７４は音声信号処理回路７３などと接続されており、スピーカーへ音声を出力する回路である。ヘッドホン回路７５は、音声信号処理回路７３と接続されており、ヘッドホンへ出力する回路である。
【００２９】
図２Ａは、電子装置８５の回路配置図の一例である。図１に記載の機能ブロックは概ね図２Ａのように備えられている。なお、この配置に限定される訳ではない。
【００３０】
図２Ｂは、電子装置８５の正面図の一例である。図２Ｂに記載のように、正面から見ると左から電源スイッチ７０と、ローダー装置７１と、各種スイッチ６７と、（音声）入出力兼用ジャック１とを備える。音声入出力兼用ジャック１は、外部からのＭＰ３の入力信号とヘッドホンへの出力信号との処理を兼用する端子（ジャック）である。
【００３１】
（第１実施形態）
第１実施形態では、接続端子（ジャック）のプラグ信号の判別方式として信号有無判別方式を採用し、音声入出力兼用ジャック１がＭＰ３プレーヤ音声入力のためのＭＰ３プレーヤ接続端子として用いられるのか、ヘッドホン音声出力のためのヘッドホン端子として用いられるのかを判定する。
【００３２】
本実施形態において、音声入出力兼用ジャック１に接続される対象はヘッドホン音声出力プラグ、ＭＰ３プレーヤ音声入力プラグの２つとし、また、そのプラグ形状としては、図４Ａに記載のように３極ステレオプラグ２３を使用する。また、主流の低インピーダンス（６〜３２Ω程度）のヘッドホンを使用するものとする。さらに、音声入出力兼用ジャック１に接続されたプラグ信号の判別方式には、信号有無判別方式を用いる。
【００３３】
図３は、電子装置８５の回路構成図の一例である。当該回路構成図には、音声入出力兼用ジャック１と、挿入検知用のプルアップ抵抗２と、第１のテスト通常切換スイッチ３（第１セレクタ）と、第２のテスト通常切換スイッチ４（第１セレクタ）と、第１の入出力音声切換スイッチ５（第２セレクタ）と、第２の入出力音声切換スイッチ６（第２セレクタ）と、平滑回路７と、比較回路８と、マイコン回路９と、ヘッドホン音声出力Ｌ信号Ｓ１０と、ＭＰ３プレーヤ音声入力Ｌ信号Ｓ１１と、ヘッドホン音声出力Ｒ信号Ｓ１２と、ＭＰ３プレーヤ音声入力Ｒ信号Ｓ１３と、テスト通常切換信号Ｓ１４と、入出力音声切換信号Ｓ１５と、ジャック接続Ｌ信号Ｓ１６と、ジャック接続Ｒ信号Ｓ１７と、信号有無検知用Ｌ信号Ｓ１８と、信号有無検知用Ｒ信号Ｓ１９と、挿入検知信号Ｓ２０と、比較１信号Ｓ２１と、比較２信号Ｓ２２と、が描写されている。また、平滑回路７から比較回路８へは平滑後の信号である平滑後信号有無検知用Ｌ信号Ｓ１８ｓと、平滑後信号有無検知用Ｒ信号Ｓ１９ｓが送信される。
【００３４】
電子装置８５の音声入出力兼用ジャック１は、図３の左から端子１ａと端子１ｂと端子１ｃと端子１ｄと端子１ｅとを備える。端子１ａは第２のテスト通常切換スイッチ４へ接続され、第２のテスト通常切換スイッチ４は平滑回路７と第２の入出力音声切換スイッチ６へ接続されている。端子１ｂは第１のテスト通常切換スイッチ３へ接続され、第１のテスト通常切換スイッチ３は平滑回路７と第１の入出力音声切換スイッチ５へ接続されている。端子１ｃは平滑回路７と比較回路８とマイコン回路９とに接続されている。端子１ｄと端子１eはGND（グラウンド）へ接続されている。
【００３５】
挿入検知用のプルアップ抵抗２は、音声入出力兼用ジャック１に３極ステレオプラグ２３が挿入されたときに、挿入検知信号Ｓ２０を“Ｈ”（ハイレベル（電源電圧））に引き上げるための抵抗器である。本実施形態において、挿入検知用のプルアップ抵抗２は、１０ＫΩ程度のものを使用する。
【００３６】
平滑回路７は電子回路の一種で、信号有無検知用Ｌ信号Ｓ１８や信号有無検知用Ｒ信号Ｓ１９を各々平滑化する。平滑後は、比較回路８へ平滑後信号有無検知用Ｌ信号Ｓ１８ｓと、平滑後信号有無検知用Ｒ信号Ｓ１９ｓとが送信される。なお、平滑回路７は、挿入検知信号Ｓ２０が“Ｈ”（ハイレベル）となったときに起動される。
【００３７】
比較回路８は電子回路の一種で、平滑回路７からの信号を受け付け、比較１信号Ｓ２１
や比較２信号Ｓ２２をマイコン回路９へ出力する。なお、比較回路８は、挿入検知信号Ｓ２０がハイレベルとなったときに起動される。
【００３８】
音声入出力兼用ジャック１の端子１ｃは、外部から図４Ａに記載のような３極ステレオプラグ２３が未挿入時には、音声入出力兼用ジャック１の端子１ｄと接続されている。
【００３９】
本実施形態で使用の３極ステレオプラグ２３の一例を図４Ａに示す。３極ステレオプラグ２３は、いわゆるステレオ用プラグである。３極ステレオプラグ２３の先端に形成される電極である音声Ｌ信号電極２３Ｃには、突起を備えており、音声Ｌ信号を送受信する。音声Ｌ信号電極２３Ｃと音声Ｒ信号電極２３Ｂとの間には絶縁リング２３Ｚが設けられており、両電極は互いに絶縁されている。また、音声Ｒ信号電極２３Ｂとグラウンド信号電極２３Ａにも絶縁リング２３Ｚが設けられており、両電極は互いに絶縁されている。
【００４０】
音声入出力兼用ジャック１の端子１ｄについては、外部からの３極ステレオプラグ２３が挿入されると、音声Ｌ信号電極２３Ｃの突起部による押し上げにより、音声入出力兼用ジャック１の端子１ｃと無接続になるものを使用する。
【００４１】
図５及び６のタイミングチャートを用いて、音声入出力兼用ジャック１へ挿入された３極ステレオプラグ２３が信号有無によって、ＭＰ３プレーヤ接続かヘッドホン接続かを判定する制御について説明する。図５はＭＰ３プレーヤ接続の場合であり、図６はヘッドホン接続の場合である。
【００４２】
時刻ｔ１１以前は、音声入出力兼用ジャック１に３極ステレオプラグ２３が挿入されていない状態である。すなわち、端子１ａ及び１ｂはいずれもオープン状態となっており、ジャック接続Ｌ信号Ｓ１６及びジャック接続Ｒ信号Ｓ１７は、各々の電位が不定状態となっている。また、時刻ｔ１１以前は、システムに電源が投入されていないため、比較信号Ｓ２１及びＳ２２、テスト通常切換信号Ｓ１４及び入出力音声切換信号Ｓ１５の論理レベルも不定状態となっている。
【００４３】
時刻ｔ１１において、電子装置８５に電源が投入されると、マイコン回路９が起動して、テスト通常切換信号Ｓ１４及び入出力音声切換信号Ｓ１５が各々デフォルト設定の“Ｌ”（ローレベル）及び“Ｈ”（ハイレベル）とされる。これにより、第１のテスト通常切換スイッチ３及び第２のテスト通常切換スイッチ４は、各々の入力端子と第１選択端子（Ｌ：テスト側）を接続する状態となり、第１の入出力音声切換スイッチ５及び第２の入出力音声切換スイッチ６は、各々の入力端子と第２選択端子（Ｈ：入力側）を接続する状態となる。
【００４４】
また、時刻ｔ１１において、音声入出力兼用ジャック１には３極ステレオプラグ２３が未挿入のままであり、音声入出力兼用ジャック１の端子１ｃと端子１ｄとが接続された状態、すなわち、挿入検知信号Ｓ２０が“Ｌ”（ローレベル）である状態となっているため、平滑回路７及び比較回路８はいずれも非動作状態に維持されている。このとき、比較回路８の出力である比較信号Ｓ２１及びＳ２２は、各々デフォルト設定の“Ｌ”（ローレベル）となる。
【００４５】
時刻ｔ１２において、音声入出力兼用ジャック１には３極ステレオプラグ２３が挿入されると、音声Ｌ信号電極２３Ｃの突起部による押し上げにより、音声入出力兼用ジャック１の端子１ｃと端子１ｄとが無接続になる。これにより、挿入検知信号Ｓ２０が“Ｈ”（ハイレベル）となり、平滑回路７及び比較回路８がいずれも動作状態に移行される。また、ジャック接続Ｌ信号Ｓ１６、ジャック接続Ｒ信号Ｓ１７は、信号有無検知用Ｌ信号Ｓ１８、信号有無検知用Ｒ信号Ｓ１９と接続されているので、平滑回路７に入力され、平滑回路７は動作する。
【００４６】
時刻ｔ１３からｔ１４において、音声入出力兼用ジャック１が、ＭＰ３プレーヤ接続かヘッドホン接続か判定する。
【００４７】
時刻ｔ１３において、平滑回路７と比較回路８の起動を完了する。平滑回路７に入力された信号有無検知用Ｌ信号Ｓ１８と信号有無検知用Ｒ信号Ｓ１９とは、平滑処理されて、ＤＣ電圧として出力される。平滑回路７から出力された、平滑後信号有無検知用Ｌ信号Ｓ１８ｓと、平滑後信号有無検知用Ｒ信号Ｓ１９ｓと比較回路８に入力され、所定の閾値電圧（Ｖｔｈ）と比較される。そして、所定の閾値電圧（Ｖｔｈ）より低ければ、即ち、信号有無検知用Ｌ信号Ｓ１８、信号有無検知用Ｒ信号Ｓ１９が無信号ならば、“Ｌ”（ローレベル）となる。一方、所定の閾値電圧（Ｖｔｈ）より高ければ、即ち、信号有無検知用Ｌ信号Ｓ１８，信号有無検知用Ｒ信号Ｓ１９が有信号ならば、“Ｈ”（ハイレベル）を比較１信号Ｓ２１、比較２信号Ｓ２２から出力する。
【００４８】
図５〜図７を用いて、さらに説明する。ＭＰ３プレーヤからの音声入力の場合には、図５の時刻ｔ１３〜ｔ１４に示すように、平滑回路７に入力された信号が平滑処理されることで得られる信号有無検知用Ｌ信号Ｓ１８及び信号有無検知用Ｒ信号Ｓ１９（ＤＣ電圧）が所定の閾値電圧（Ｖｔｈ）よりも大きくなる。一方、ヘッドホンへ音声出力する場合には、図６の時刻ｔ１３〜ｔ１４に示すように、無音であり、平滑回路７に入力された信号が平滑処理されることで得られる信号有無検知用Ｌ信号Ｓ１８及び信号有無検知用Ｒ信号Ｓ１９（ＤＣ電圧）が所定の電圧値（Ｖｔｈ）よりも小さくなる。
【００４９】
図７Ｂは、音声入出力兼用ジャック１が、ＭＰ３プレーヤからの入力かヘッドホンへの音声出力か判定している。図に示すように、ＭＰ３プレーヤからの入力（接続）の場合には、ジャック接続Ｌ信号Ｓ１６又は／及びジャック接続Ｒ信号Ｓ１７にアナログ信号が入力されるので、「信号有」となる。
【００５０】
時刻ｔ１４において、上記の判定処理を完了する。時刻ｔ１４〜ｔ１５は判定完了後（通常動作時）の制御である。図５の時刻ｔ１４〜ｔ１５で示すように、ＭＰ３プレーヤ接続の場合には、テスト通常切換信号Ｓ１４は“Ｈ”（ハイレベル）となり、入出力音声切換信号Ｓ１５は“Ｈ”（ハイレベル）となる。一方、図６の時刻ｔ１４〜ｔ１５で示すように、ヘッドホン接続の場合には、テスト通常切換信号Ｓ１４は“Ｈ”（ハイレベル）となり、入出力音声切換信号Ｓ１５は“Ｌ”（ローレベル）となる。
【００５１】
時刻ｔ１５からは、音声入出力兼用ジャック１から３極ステレオプラグ２３を抜き取った状態である。この場合、挿入検知信号Ｓ２０が未検知状態“Ｌ”（ローレベル）となる。
【００５２】
以上のように、音声入出力兼用ジャック１へ挿入された３極ステレオプラグ２３の検知を挿入検知信号Ｓ２０によって行った。
【００５３】
本実施形態における電子装置８５は、入出力兼用ジャック１と；前記入出力兼用ジャックを通常用信号経路とプラグ判別用信号経路のいずれに接続するかを選択する第１セレクタ（第１のテスト通常切換スイッチ３、第２のテスト通常切換スイッチ４）と；前記通常用信号経路を信号入力用経路と信号出力用経路のいずれに接続するかを選択する第２セレクタ（第１の入出力音声切換スイッチ５、第２の入出力音声切換スイッチ６）と；前記プラグ判別用信号経路に現れる電圧信号を平滑化して平滑電圧信号を生成する平滑部（平滑回路）７と；前記平滑電圧信号と所定の閾値電圧とを比較して比較結果信号を生成する比較部（比較回路）８と；前記第１セレクタ及び前記第２セレクタの接続切換制御を行う制御部（マイコン回路）９と；を有し、前記制御部は、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタを制御するとともに、前記プラグ判別動作時に得られた前記比較結果信号に基づいて、前記平滑電圧信号が前記閾値電圧よりも高いと判断されるときには、前記通常用信号経路を前記信号入力用経路に接続するように、逆に、前記平滑電圧信号が前記閾値電圧よりも低いと判断されるときには、前記通常用信号経路を前記信号出力用経路に接続するように、前記第２セレクタを制御することを特徴とする。
【００５４】
このため、接続端子（ジャック）のプラグ信号の判別方式として信号有無判別方式を採用し、音声入出力兼用ジャック１がＭＰ３プレーヤ音声入力のためのＭＰ３プレーヤ接続端子として用いられるのか、ヘッドホン音声出力のためのヘッドホン端子として用いられるのかを判定することができる。そうすると、小型化され、利便性のよい電子装置８５を提供することができる。
【００５５】
（第２実施形態）
第２実施形態では、接続端子（ジャック）のプラグ信号の判別方式として、電圧変化判別方式を採用し、音声入出力兼用ジャック１がＭＰ３プレーヤ音声入力のためのＭＰ３プレーヤ接続端子として用いられているのか、ヘッドホン音声出力のためのヘッドホン端子として用いられるのかを判定する。
【００５６】
本実施形態において、音声入出力兼用ジャック１に接続される対象はヘッドホン音声出力プラグ、ＭＰ３プレーヤ音声入力プラグの２つとし、また、そのプラグ形状としては、図４Ａに記載のように３極ステレオプラグ２３を使用する。また、主流の低インピーダンス（６〜３２Ω程度）のヘッドホン使用するものとする。さらに、音声入出力兼用ジャック１に接続されたプラグ信号の判別方式には、抵抗接続による電圧変化判別方式を用いる。
【００５７】
図８は、電子装置８５の回路構成図の一例である。第１の実施形態の図３と比較すると、図８では平滑回路７を備えていないが、第１の電位発生用抵抗２４と、第２の電位発生用抵抗２５と、電位発生Ｌ信号Ｓ２６と、電位発生Ｒ信号Ｓ２７と、を備える。
【００５８】
第１の電位発生用抵抗２４と、第２の電位発生用抵抗２５とは、それぞれ、電源電圧の印加端と比較回路８との間に接続される。なお、後述する判定動作時において、電位発生Ｌ信号Ｓ２６は第１のテスト通常切換スイッチ３を介して印加される端子１ｂの端子電圧と一致し、電位発生Ｒ信号Ｓ２７は第２のテスト通常切換スイッチ４を介して印加される端子１ａの端子電圧と一致する。
【００５９】
本実施形態においても、図４Ａに示す３極ステレオプラグ２３を用いて、音声入出力兼用ジャック１がＭＰ３プレーヤ音声入力のためのＭＰ３プレーヤ接続かヘッドホン端子から出力のためのヘッドホン接続かを判別する。
【００６０】
本実施形態においては、第１の電位発生用抵抗２４及び第２の電位発生用抵抗２５は１ＫΩ程度のものを使用する。
【００６１】
図９は、一般的なヘッドホンＡが音声入出力兼用ジャック１に接続された場合の等価回路図である。音声入出力兼用ジャック１にヘッドホンＡが接続された場合、図９に示したように、端子１ｂがヘッドホンＡのスピーカー抵抗（抵抗値Ｒ２）を介して接地端に接続された状態となる。従って、電位発生Ｌ信号Ｓ２６としては、第１の電位発生用抵抗２４（抵抗値Ｒ１）とスピーカー抵抗（抵抗値Ｒ２）との抵抗比に応じて電源電圧ＶＤＤを分圧することにより得られる電圧信号（＝｛Ｒ２／（Ｒ１＋Ｒ２）｝×ＶＤＤ）が得られることになる。
【００６２】
図１０Ａ及び図１０Ｂは、それぞれ、一般的なＭＰ３プレーヤＢが音声入出力兼用ジャック１に接続された場合の等価回路図である。音声入出力兼用ジャック１にＭＰ３プレーヤＢが接続された場合、図１０Ａのように、端子１ｂがＤＣカット用コンデンサを介してアンプ（出力ハイインピーダンス状態）に接続されただけの状態となるか、或いは、図１０Ｂに示したように、図１０Ａの状態に加えて、端子１ｂがプルダウン抵抗（抵抗値Ｒ３）を介して接地端に接続された状態となる。前者の場合、電位発生Ｌ信号Ｓ２６は電源電圧ＶＤＤそのものとなり、後者の場合には、電位発生Ｌ信号Ｓ２６として、第１の電位発生用抵抗２４（抵抗値Ｒ１）とプルダウン抵抗（抵抗値Ｒ３）との抵抗比に応じて電源電圧ＶＤＤを分圧することにより得られる電圧信号（＝｛Ｒ３／（Ｒ１＋Ｒ３）｝×ＶＤＤ）が得られることになる。
【００６３】
従って、比較回路８において、電位発生Ｌ信号Ｓ２６と所定の閾値電圧（Ｖｔｈ）とを比較することにより、音声入出力兼用ジャック１にヘッドホンＡが接続されているのか、ＭＰ３プレーヤＢが接続されているのかを判別することが可能となる。
【００６４】
なお、上記では、電位発生Ｌ信号Ｓ２６を例に挙げて説明を行ったが、３極ステレオプラグまたは３極モノラルプラグが接続される場合には、電位発生Ｒ信号Ｓ２７についても上記と同様の電圧信号が得られる。
【００６５】
図１１及び１２のタイミングチャートを用いて、音声入出力兼用ジャック１へ挿入された３極ステレオプラグ２３が電圧の変化によって、ＭＰ３プレーヤ接続かヘッドホン接続かを判定する制御について説明する。図１１はＭＰ３プレーヤ接続の場合であり、図１２はヘッドホン接続の場合である。
【００６６】
時刻ｔ２１以前は、音声入出力兼用ジャック１に３極ステレオプラグ２３が挿入されていない状態である。すなわち、端子１ａ及び１ｂはいずれもオープン状態となっており、ジャック接続Ｌ信号Ｓ１６及びジャック接続Ｒ信号Ｓ１７は、各々の電位が不定状態となっている。また、時刻ｔ２１以前は、システムに電源が投入されていないため、比較信号Ｓ２１及びＳ２２、テスト通常切換信号Ｓ１４及び入出力音声切換信号Ｓ１５の論理レベルも不定状態となっている。
【００６７】
時刻ｔ２１において、電子装置８５に電源が投入されると、マイコン回路９が起動して、テスト通常切換信号Ｓ１４及び入出力音声切換信号Ｓ１５が各々デフォルト設定の“Ｌ”（ローレベル）及び“Ｈ”（ハイレベル）とされる。これにより、第１のテスト通常切換スイッチ３及び第２のテスト通常切換スイッチ４は、各々の入力端子と第１選択端子（Ｌ：テスト側）を接続する状態となり、第１の入出力音声切換スイッチ５及び第２の入出力音声切換スイッチ６は、各々の入力端子と第２選択端子（Ｈ：入力側）を接続する状態となる。
【００６８】
また、時刻ｔ２１において、音声入出力兼用ジャック１には３極ステレオプラグ２３が未挿入のままであり、音声入出力兼用ジャック１の端子１ｃと端子１ｄとが接続された状態、すなわち、挿入検知信号Ｓ２０がローレベルである状態となっているため、比較回路８は非動作状態に維持されている。このとき、比較回路８の出力である比較信号Ｓ２１及びＳ２２は、各々デフォルト設定の“Ｌ”（ローレベル）となる。
【００６９】
また、時刻ｔ２１から、ジャック接続Ｌ信号Ｓ１６とジャック接続Ｒ信号Ｓ１７は、ＶＤＤ（電源電圧）となる。また、電位発生Ｌ信号Ｓ２６と電位発生Ｒ信号Ｓ２７も、ＶＤＤ（電源電圧）となる。
【００７０】
時刻ｔ２２において、音声入出力兼用ジャック１には３極ステレオプラグ２３が挿入されると、音声Ｌ信号電極２３Ｃの突起部による押し上げにより、音声入出力兼用ジャック１の端子１ｃと端子１ｄとが無接続になる。これにより、挿入検知信号Ｓ２０が“Ｈ”（ハイレベル）となり、比較回路８が動作状態に移行される。
【００７１】
時刻ｔ２３からｔ２４において、音声入出力兼用ジャック１が、ＭＰ３プレーヤ接続かヘッドホン接続か判定する。
【００７２】
時刻ｔ２３において、比較回路８の起動を完了する。そして、ヘッドホン接続の場合には、端子１ａ及び１ｂがそれぞれヘッドホンＡのスピーカー抵抗（抵抗値Ｒ２）を介して接地端に接続された状態となる。従って、電位発生Ｌ信号Ｓ２６及び電位発生Ｒ信号Ｓ２７としては、それぞれ、第１の電位発生用抵抗２４及び第２の電位発生用抵抗２５（抵抗値Ｒ１）とスピーカー抵抗（抵抗値Ｒ２）との抵抗比に応じて電源電圧ＶＤＤを分圧することにより得られる電圧信号（＝｛Ｒ２／（Ｒ１＋Ｒ２）｝×ＶＤＤ）が得られることになる。
【００７３】
一方、ＭＰ３プレーヤ接続の場合には、端子１ａ及び１ｂがそれぞれＤＣカット用コンデンサを介してアンプ（出力ハイインピーダンス状態）に接続されただけの状態となる。或いは、端子１ａ及び１ｂがそれぞれプルダウン抵抗（抵抗値Ｒ３）を介して接地端に接続された状態となる。前者の場合、電位発生Ｌ信号Ｓ２６及び電位発生Ｒ信号Ｓ２７はそれぞれ電源電圧ＶＤＤそのものとなり、後者の場合には、電位発生Ｌ信号Ｓ２６及び電位発生Ｒ信号Ｓ２７として、それぞれ、第１の電位発生用抵抗２４（抵抗値Ｒ１）とプルダウン抵抗（抵抗値Ｒ３）との抵抗比に応じて電源電圧ＶＤＤを分圧することにより得られる電圧信号（＝｛Ｒ３／（Ｒ１＋Ｒ３）｝×ＶＤＤ）が得られることになる。
【００７４】
つまり、図１３Ｂに示すように、ヘッドホン接続の場合には、ジャック接続Ｌ信号Ｓ１６及びジャック接続Ｒ信号Ｓ１７のいずれも無信号となり、電位発生Ｌ信号Ｓ２６及び電位発生Ｒ信号Ｓ２７のいずれも所定の閾値電圧（Ｖｔｈ）未満となる。
【００７５】
一方、ＭＰ３プレーヤ接続の場合には、ジャック接続Ｌ信号Ｓ１６はＭＰ３プレーヤからの音声入力（Ｌ）となり、ジャック接続Ｒ信号Ｓ１７はＭＰ３プレーヤからの音声入力（Ｒ）となる。しかしながら、ＭＰ３プレーヤからの音声入力はなく、未入力の状態になる。この場合には、端子１ａ及び１ｂがそれぞれＤＣカット用コンデンサを介してアンプ（出力ハイインピーダンス状態）に接続されただけの状態となり、電位発生Ｌ信号Ｓ２６及び電位発生Ｒ信号Ｓ２７はそれぞれ電源電圧ＶＤＤそのものとなる。或いは、端子１ａ及び１ｂがそれぞれプルダウン抵抗（抵抗値Ｒ３）を介して接地端に接続された状態となり、電位発生Ｌ信号Ｓ２６及び電位発生Ｒ信号Ｓ２７として、それぞれ、第１の電位発生用抵抗２４（抵抗値Ｒ１）とプルダウン抵抗（抵抗値Ｒ３）との抵抗比に応じて電源電圧ＶＤＤを分圧することにより得られる電圧信号となる。そうすると、電位発生Ｌ信号Ｓ２６及び電位発生Ｒ信号Ｓ２７のいずれも所定の閾値電圧（Ｖｔｈ）以上となる。
【００７６】
時刻ｔ２４において、上記の判定処理を完了する。時刻ｔ２４〜ｔ２５は判定完了後（通常動作時）の制御である。図１１の時刻ｔ２４〜ｔ２５で示すように、ＭＰ３プレーヤ接続の場合には、テスト通常切換信号Ｓ１４は“Ｈ”（ハイレベル）となり、入出力音声切換信号Ｓ１５は“Ｈ”（ハイレベル）となる。一方、図１２の時刻ｔ２４〜ｔ２５で示すように、ヘッドホン接続の場合には、テスト通常切換信号Ｓ１４は“Ｈ”（ハイレベル）となり、入出力音声切換信号Ｓ１５は“Ｌ”（ローレベル）となる。
【００７７】
時刻ｔ２５からは、音声入出力兼用ジャック１から３極ステレオプラグ２３を抜き取った状態である。この場合、挿入検知信号Ｓ２０が未検知状態“Ｌ”（ローレベル）となる。
【００７８】
以上のようなタイミングチャートで処理は終了する。
【００７９】
本実施形態における電子装置８５は、（音声）入出力兼用ジャック１と；前記入出力兼用ジャックを通常用信号経路とプラグ判別用信号経路のいずれに接続するかを選択する第１セレクタ（第１のテスト通常切換スイッチ３、第２のテスト通常切換スイッチ４）と；前記通常用信号経路を信号入力用経路と信号出力用経路のいずれに接続するかを選択する第２セレクタ（第１の入出力音声切換スイッチ５、第２の入出力音声切換スイッチ６）と；前記プラグ判別用信号経路と電源電圧の印加端との間に接続された電位発生用抵抗（第１の電位発生用抵抗２４、第２の電位発生用抵抗２５）と；前記プラグ判別用信号経路に現れる電位発生信号と所定の閾値電圧（Ｖｔｈ）とを比較して比較結果信号を生成する比較部（比較回路）８と；前記第１セレクタ及び前記第２セレクタの接続切換制御を行う制御部（マイコン）９と；を有し、前記制御部は、前記入出力兼用ジャックに接続されたプラグの種類を判別するプラグ判別動作時には、前記入出力兼用ジャックを前記プラグ判別用信号経路に接続するように前記第１セレクタを制御し、通常動作時には、前記入出力兼用ジャックを前記通常用信号経路に接続するように前記第１セレクタ（第１のテスト通常切換スイッチ３、第２のテスト通常切換スイッチ４）を制御するとともに、前記プラグ判別動作時に得られた前記比較結果信号に基づいて、前記電位発生信号が前記閾値電圧（Ｖｔｈ）よりも高いと判断されるときには、前記通常用信号経路を前記信号入力用経路に接続するように、逆に、前記電位発生信号が前記閾値電圧（Ｖｔｈ）よりも低いと判断されるときには、前記通常用信号経路を前記信号出力用経路に接続するように、前記第２セレクタ（第１の入出力音声切換スイッチ５、第２の入出力音声切換スイッチ６）を制御することを特徴とする
【００８０】
このため、第２実施形態では、接続端子（ジャック）のプラグ信号の判別方式として、電圧変化判別方式を採用し、音声入出力兼用ジャック１がＭＰ３プレーヤ音声入力のためのＭＰ３プレーヤ接続端子として用いられているのか、ヘッドホン音声出力のためのヘッドホン端子として用いられるのかを判定することができる。即ち、電圧変化判別方式を採用しているため、第１実施形態に比べて細かな電圧の変換で検出することができる。また、小型化され、利便性のよい電子装置８５を提供することができる。
【００８１】
（第３実施形態）
第３実施形態では、接続端子（ジャック）のプラグ信号の判別方式として、電圧変化判別方式を採用し、音声入出力兼用ジャック１が（イ）ヘッドホン音声出力のためのヘッドホン端子として用いられるのか又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、のいずれか３通りのうちの１つを判定する。
【００８２】
本実施形態において、音声入出力兼用ジャック１に接続される対象はヘッドホン音声出力プラグと、ＭＰ３プレーヤ音声入力プラグと、マイク音声入力プラグと、イヤホン出力プラグとする。ヘッドホン音声出力プラグとＭＰ３プレーヤ音声入力プラグプラグの形状としては、図４Ａに記載のように３極ステレオプラグ２３を使用する。
【００８３】
マイク音声入力端子やイヤホン出力プラグとしては、図４Ｂに示すように３極モノラルプラグ３２である。３極モノラルプラグ３２は、いわゆるモノラル用プラグである。３極モノラルプラグ３２の先端に形成される電極である音声Ｌ信号電極３２Ｃには、突起を備えており、音声Ｌ信号を送受信する。３極モノラルプラグ３２を使用するため、３２Ｂと３２Ｃは同一信号電極である。音声Ｌ信号電極３２Ｃと音声Ｌ信号電極３２Ｂとの間には絶縁リング３２Ｚが設けられており、両電極は互いに絶縁されている。また、音声Ｌ信号電極３２Ｂとグラウンド信号電極３２Ａとの間にも絶縁リング３２Ｚが設けられており、両電極は互いに絶縁されている。
【００８４】
ヘッドホン音声出力のためのヘッドホン端子とイヤホン接続（片耳用のヘッドホン）端子から測定できる抵抗値は同じ程度のものを使用するものとする。マイク音声入力プラグからの測定できる抵抗値は２．３ＫΩ程度のものを使用するものとする。
【００８５】
上記のような接続プラグにおいて、音声入出力兼用ジャック１に接続されたプラグ信号の判別方式には、抵抗接続による電圧変化判別方式を用いる。
【００８６】
図１４は、電子装置８５の回路構成図の一例である。第２の実施形態の図８と比較すると、図１４では、第１の入力音声切換スイッチ３０と、第２の入力音声切換スイッチ３１と、マイク音声入力信号Ｓ２８と、入力音声切換信号Ｓ２９と、をさらに備える。これらの構成により、第２の実施形態と比較するとマイク音声入力端子をさらに判別することができる。
【００８７】
第１の入力音声切換スイッチ３０は第１の入出力音声切換スイッチ５へと接続し、第２の入力音声切換スイッチ３１は第２の入出力音声切換スイッチ６へと接続する。マイク音声入力信号Ｓ２８は第１の入力音声切換スイッチ３０と、第２の入力音声切換スイッチ３１と、から出力される。入力音声切換信号Ｓ２９はマイコン回路（マイコン）９から出力される。
【００８８】
第１の電位発生用抵抗２４と、第２の電位発生用抵抗２５（抵抗値Ｒ２）とは、それぞれ、電源電圧の印加端と比較回路８との間に接続される。なお、後述する判定動作時において、電位発生Ｌ信号Ｓ２６は第１のテスト通常切換スイッチ３を介して印加される端子１ｂの端子電圧と一致し、電位発生Ｒ信号Ｓ２７は第２のテスト通常切換スイッチ４を介して印加される端子１ａの端子電圧と一致する。
【００８９】
図１５は、一般的なマイクＣが音声入出力兼用ジャック１に接続された場合の等価回路図である。音声入出力兼用ジャック１にマイクＣが接続された場合、図１５に示したように、端子１ｂがマイクＣの抵抗（抵抗値Ｒ４）を介して接地端に接続された状態となる。従って、電位発生Ｌ信号Ｓ２６としては、第１の電位発生用抵抗２４（抵抗値Ｒ１）とマイク抵抗（抵抗値Ｒ４）との抵抗比に応じて電源電圧ＶＤＤを分圧することにより得られる電圧信号（＝｛Ｒ４／（Ｒ１＋Ｒ４）｝×ＶＤＤ）が得られることになる。
【００９０】
そうすると、マイク音声入力端子が接続される場合には、ＭＰ３プレーヤ接続よりも電位発生信号は小さく、ヘッドホン接続よりも大きくなる。従って、第１閾値電圧（Ｖｔｈ１）と第２閾値電圧（Ｖｔｈ２）を定め、その間にマイク音声入力端子が接続された場合の電圧信号を調整することで、マイク音声入力端子の判別も可能となる。
【００９１】
なお、上記では、電位発生Ｌ信号Ｓ２６を例に挙げて説明を行ったが、３極ステレオプラグまたは３極モノラルプラグが接続される場合には、電位発生Ｒ信号Ｓ２７についても上記と同様の電圧信号が得られる。
【００９２】
図１７〜１９のタイミングチャートを用いて、（イ）ヘッドホン音声出力のためのヘッドホン端子として用いられるのか、又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、を判定する制御について説明する。図１７はＭＰ３プレーヤ音声入力のためのＭＰ３プレーヤ接続端子として用いられている場合であり、図１８はマイク音声入力プラグからのマイク音声入力端子として用いられる場合であり、図１９はヘッドホン音声出力のためのヘッドホン端子として用いられるのか、又はイヤホン出力プラグからのイヤホン接続（片耳用のヘッドホン）端子として用いられている場合である。
【００９３】
時刻ｔ３１以前は、音声入出力兼用ジャック１に３極ステレオプラグ２３又は３極モノラルプラグ３２が挿入されていない状態である。すなわち、端子１ａ及び１ｂはいずれもオープン状態となっており、ジャック接続Ｌ信号Ｓ１６及びジャック接続Ｒ信号Ｓ１７は、各々の電位が不定状態となっている。また、時刻ｔ３１以前は、システムに電源が投入されていないため、比較信号Ｓ２１及びＳ２２、テスト通常切換信号Ｓ１４及び入出力音声切換信号Ｓ１５の論理レベルも不定状態となっている。さらに本実施形態で追加構成となった入力音声切換信号Ｓ２９も不定状態となる。
【００９４】
時刻ｔ３１において、電子装置８５に電源が投入されると、マイコン回路９が起動して、テスト通常切換信号Ｓ１４及び入出力音声切換信号Ｓ１５が各々デフォルト設定の“Ｌ”（ローレベル）及び“Ｈ”（ハイレベル）とされる。これにより、第１のテスト通常切換スイッチ３及び第２のテスト通常切換スイッチ４は、各々の入力端子と第１選択端子（Ｌ：テスト側）を接続する状態となり、第１の入出力音声切換スイッチ５及び第２の入出力音声切換スイッチ６は、各々の入力端子と第２選択端子（Ｈ：入力側）を接続する状態となる。
【００９５】
さらに、時刻ｔ３１において、電子装置８５に電源が投入されると、入力音声切換信号Ｓ２９がデフォルト設定の“Ｌ”（ローレベル）とされる。これにより、第１の入力音声切換スイッチ３０及び第２の入力音声切換スイッチ３１は、各々の入力端子と第１選択端子（Ｌ：ＭＰ３入力側）を接続する状態となる。
【００９６】
さらにまた、時刻ｔ３１において、音声入出力兼用ジャック１には３極ステレオプラグ２３又は３極モノラルプラグ３２は未挿入のままであり、音声入出力兼用ジャック１の端子１ｃと端子１ｄとが接続された状態、すなわち、挿入検知信号Ｓ２０がローレベルである状態となっているため、比較回路８は非動作状態に維持されている。このとき、比較回路８の出力である比較信号Ｓ２１及びＳ２２は、各々デフォルト設定の“Ｌ”（ローレベル）となる。
【００９７】
また、時刻ｔ３１から、ジャック接続Ｌ信号Ｓ１６とジャック接続Ｒ信号Ｓ１７は、ＶＤＤ（電源電圧）となる。また、電位発生Ｌ信号Ｓ２６と電位発生Ｒ信号Ｓ２７も、ＶＤＤ（電源電圧）となる。
【００９８】
時刻ｔ３２において、音声入出力兼用ジャック１には３極ステレオプラグ２３又は３極モノラルプラグ３２が挿入されると、音声Ｌ信号電極２３Ｃ又は音声Ｌ信号電極３２Ｃの突起部による押し上げにより、音声入出力兼用ジャック１の端子１ｃと端子１ｄとが無接続になる。これにより、挿入検知信号Ｓ２０が“Ｈ”（ハイレベル）となり、比較回路８が動作状態に移行される。
【００９９】
時刻ｔ３３からｔ３４において、音声入出力兼用ジャック１が、ＭＰ３プレーヤ接続か、ヘッドホン接続（イヤホン接続）か、マイク接続かを判定する。
【０１００】
時刻ｔ３３において、比較回路８の起動を完了する。そして、ヘッドホン接続の場合には、端子１ａ及び１ｂがそれぞれヘッドホンＡのスピーカー抵抗（抵抗値Ｒ２）を介して接地端に接続された状態となる。従って、電位発生Ｌ信号Ｓ２６及び電位発生Ｒ信号Ｓ２７としては、第１の電位発生用抵抗２４及び第２の電位発生用抵抗２５（抵抗値Ｒ１）とスピーカー抵抗（抵抗値Ｒ２）との抵抗比に応じて電源電圧ＶＤＤを分圧することにより得られる電圧信号（＝｛Ｒ２／（Ｒ１＋Ｒ２）｝×ＶＤＤ）が得られることになる。
【０１０１】
一方、ＭＰ３プレーヤ接続の場合には、端子１ａ及び１ｂがそれぞれＤＣカット用コンデンサを介してアンプ（出力ハイインピーダンス状態）に接続されただけの状態となる。或いは、端子１ａ及び１ｂがそれぞれプルダウン抵抗（抵抗値Ｒ３）を介して接地端に接続された状態となる。前者の場合、電位発生Ｌ信号Ｓ２６及び電位発生Ｒ信号Ｓ２７はそれぞれ電源電圧ＶＤＤそのものとなり、後者の場合には、電位発生Ｌ信号Ｓ２６及び電位発生Ｒ信号Ｓ２７として、第１の電位発生用抵抗２４及び第２の電位発生用抵抗２５（抵抗値Ｒ１）とプルダウン抵抗（抵抗値Ｒ３）との抵抗比に応じて電源電圧ＶＤＤを分圧することにより得られる電圧信号（＝｛Ｒ３／（Ｒ１＋Ｒ３）｝×ＶＤＤ）が得られることになる。
【０１０２】
さらに、本実施形態で追加されたマイク接続の場合には、端子１ａ及び１ｂがそれぞれマイクＣの抵抗（抵抗値Ｒ４）を介して接地端に接続された状態となる。従って、電位発生Ｌ信号Ｓ２６及び電位発生Ｒ信号Ｓ２７としては、それぞれ、第１の電位発生用抵抗２４及び第２の電位発生用抵抗２５（抵抗値Ｒ１）とマイク抵抗（抵抗値Ｒ４）との抵抗比に応じて電源電圧ＶＤＤを分圧することにより得られる電圧信号（＝｛Ｒ４／（Ｒ１＋Ｒ４）｝×ＶＤＤ）が得られることになる。
【０１０３】
図１７及び図２０Ｂに示すように、ＭＰ３プレーヤ接続の場合には、ジャック接続Ｌ信号Ｓ１６はＭＰ３プレーヤからの音声入力（Ｌ）となり、ジャック接続Ｒ信号Ｓ１７はＭＰ３プレーヤからの音声入力（Ｒ）となる。しかしながら、ＭＰ３プレーヤからの音声入力はなく、未入力の状態になる。この場合には、端子１ｂがＤＣカット用コンデンサを介してアンプ（出力ハイインピーダンス状態）に接続されただけの状態となり、電位発生Ｌ信号Ｓ２６は電源電圧ＶＤＤそのものとる。或いは、端子１ｂがプルダウン抵抗（抵抗値Ｒ３）を介して接地端に接続された状態となり、電位発生Ｌ信号Ｓ２６として、第１の電位発生用抵抗２４（抵抗値Ｒ１）とプルダウン抵抗（抵抗値Ｒ３）との抵抗比に応じて電源電圧ＶＤＤを分圧することにより得られる電圧信号となる。そうすると、電位発生Ｌ信号Ｓ２６及び電位発生Ｒ信号Ｓ２７のいずれも第２閾値電圧（Ｖｔｈ２）以上となる。
【０１０４】
また、図１９及び図２０Ｂに示すように、ヘッドホン接続（イヤホン接続）の場合には、ジャック接続Ｌ信号Ｓ１６及びジャック接続Ｒ信号Ｓ１７のいずれも無信号となり、電位発生Ｌ信号Ｓ２６及び電位発生Ｒ信号Ｓ２７のいずれも第１閾値電圧（Ｖｔｈ１）未満となる。
【０１０５】
一方、図１９及び図２０Ｂに示すように、マイク接続の場合には、電圧信号（＝｛Ｒ４／（Ｒ１＋Ｒ４）｝×ＶＤＤ）であり、Ｒ４は２．３ＫΩ程度のものであるため、第１閾値電圧（Ｖｔｈ１）以上、第２閾値電圧（Ｖｔｈ２）未満となる。
【０１０６】
図１６を用いて、さらに説明する。図１６は比較回路８が備えるロジック部８３の制御である。電位発生Ｌ信号Ｓ２６は、コンパレータ８１Ｌとコンパレータ８２Ｌへ送信し、電位発生Ｒ信号Ｓ２７は、コンパレータ８１Ｒとコンパレータ８２Ｒへ送信する。コンパレータ８１Ｌとコンパレータ８１Ｒとは第１閾値電圧（Ｖｔｈ１）を比較し、コンパレータ８２Ｌとコンパレータ８２Ｒとは第２閾値電圧（Ｖｔｈ２）を比較する。
【０１０７】
各コンパレータから入力された信号はロジック部８３で、所定の演算を行い比較１信号Ｓ２１と比較２信号Ｓ２２とを出力する。例えば、ロジック部８３は、４つのコンパレータの出力がいずれも“Ｈ”（ハイレベル）である場合には、信号Ｓ２６及びＳ２７がいずれも第２閾値電圧Ｖｔｈ２以上であると判断して、比較１信号Ｓ２１と比較２信号Ｓ２２をいずれもハイレベルとする。
【０１０８】
また、ロジック部８３は、４つのコンパレータの出力がいずれもローレベルである場合には、信号Ｓ２６及びＳ２７がいずれも第１閾値電圧（Ｖｔｈ１）未満であると判断して、比較１信号Ｓ２１と比較２信号Ｓ２２をいずれも“Ｌ”（ローレベル）とする。
【０１０９】
また、４つのコンパレータのうち、コンパレータ８１Ｌ及び８１Ｒの出力が共にハイレベルであり、コンパレータ８２Ｌ及び８２Ｒの出力が共にローレベルである場合には、信号Ｓ２６及びＳ２７が第１閾値電圧（Ｖｔｈ１）以上、第２閾値電圧（Ｖｔｈ２）未満であると判断して、比較１信号Ｓ２１を“Ｈ”（ハイレベル）とし、比較２信号Ｓ２２を“Ｌ”（ローレベル）とする。
【０１１０】
すなわち、比較１信号Ｓ２１と比較２信号Ｓ２２は、４つの値（ＨＨ、ＨＬ、ＬＨ、ＬＬ）を取り得る２ビットの各ビット値であると言うことができる。これらの４つの値をロジック部８３が制御し出力することで、（イ）ヘッドホン音声出力のためのヘッドホン端子として用いられるのか、又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、をマイコン９で判定する制御が可能となる。
【０１１１】
時刻ｔ３４において、上記の判定処理を完了する。時刻ｔ３４〜ｔ３５は判定完了後（通常動作時）の制御である。図１７の時刻ｔ３４〜ｔ３５で示すように、ＭＰ３プレーヤ接続の場合には、テスト通常切換信号Ｓ１４は“Ｈ”（ハイレベル）となり、入出力音声切換信号Ｓ１５は“Ｈ”（ハイレベル）となり、入力音声切換信号Ｓ２９は“Ｌ”（ローレベル）となる。一方、図１８の時刻ｔ３４〜ｔ３５で示すように、マイク接続の場合には、テスト通常切換信号Ｓ１４は“Ｈ”（ハイレベル）となり、入出力音声切換信号Ｓ１５は“Ｈ”（ローレベル）となり、入力音声切換信号Ｓ２９は“Ｈ”（ハイレベル）となる。また、図１９の時刻ｔ３４〜ｔ３５で示すように、ヘッドホン接続（イヤホン接続）の場合には、テスト通常切換信号Ｓ１４は“Ｈ”（ハイレベル）となり、入出力音声切換信号Ｓ１５は“Ｈ”（ローレベル）となり、入力音声切換信号Ｓ２９は“Ｌ”（ローレベル）となる
【０１１２】
時刻ｔ３５からは、音声入出力兼用ジャック１から３極ステレオプラグ２３又は３極モノラルプラグ３２を抜き取った状態である。この場合、挿入検知信号Ｓ２０が未検知状態“Ｌ”（ローレベル）となる。
【０１１３】
以上のようなタイミングチャートで処理は終了する。
【０１１４】
本実施形態における電子装置８５は、前記信号入力用経路を第１信号入力用経路と第２信号入力用経路のいずれに接続するかを選択する第３セレクタ（第１の入力音声切換スイッチ３０、第２の入力音声切換スイッチ３１）をさらに有し、前記比較回路８は、前記閾値電圧として、第１閾値電圧（Ｖｔｈ１）とこれよりも高い第２閾値電圧（Ｖｔｈ２）を備え、前記電位発生信号と前記第１閾値電圧（Ｖｔｈ１）及び前記第２閾値電圧（Ｖｔｈ２）とを各々比較して前記比較結果信号を生成するものであり、前記制御部（マイコン）９は、前記プラグ判別動作時には、前記入出力兼用ジャックを前記プラグ判別用信号経路に接続するように前記第１セレクタ（第１のテスト通常切換スイッチ３、第２のテスト通常切換スイッチ４）を制御し、前記通常動作時には、前記入出力兼用ジャックを前記通常用信号経路に接続するように前記第１セレクタ（第１のテスト通常切換スイッチ３、第２のテスト通常切換スイッチ４）を制御するとともに、前記プラグ判別動作時に得られた前記比較結果信号に基づいて、前記電位発生信号が前記第２閾値電圧（Ｖｔｈ２）よりも高いと判断されるときには、前記通常用信号経路を前記信号入力用経路に接続した上で、さらに、前記信号入力用経路を前記第１信号入力用経路に接続するように、また、前記電位発生信号が前記第１閾値電圧（Ｖｔｈ１）よりも高く、前記第２閾値電圧（Ｖｔｈ２）よりも低いと判断されるときには、前記通常用信号経路を前記信号入力用経路に接続した上で、さらに、前記信号入力用経路を前記第２信号入力用経路に接続するように、また、前記電位発生信号が前記第１閾値電圧（Ｖｔｈ１）よりも低いと判断されるときには、前記通常用信号経路を前記信号出力用経路に接続するように、前記第２セレクタ（第１の入出力音声切換スイッチ５、第２の入出力音声切換スイッチ６）及び前記第３セレクタ（第１の入力音声切換スイッチ３０、第２の入力音声切換スイッチ３１）を各々制御することを特徴とする。
【０１１５】
上記のような構成にすることで、接続端子（ジャック）のプラグ信号の判別方式として、電圧変化判別方式を採用し、音声入出力兼用ジャック１が（イ）ヘッドホン音声出力のためのヘッドホン端子として用いられるのか又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、のいずれか３通りのうちの１つを判定することができる。即ち、電圧変化判別方式を採用しているため、第２実施形態に比べて多くの接続端子を検出することができる。また、小型化され、利便性のよい電子装置８５を提供することができる。
【０１１６】
また、本実施形態における電子装置８５は、前記入出力兼用ジャックは、これに挿入されたプラグとの接点として、第１端子と第２端子を備えており、前記第１セレクタ、前記第２セレクタ、前記第３セレクタ、前記電位発生用抵抗、前記通常用信号経路、前記プラグ判別用信号経路、前記信号入力用経路、前記第１信号入力用経路、前記第２信号入力用経路、及び、前記信号出力用経路は、前記第１端子と前記第２端子に各々対応して２系統設けられていることを特徴とする。
【０１１７】
上記のような構成にすることで、ステレオ音源に対応する２系統の接続端子を検出することができる。
【０１１８】
（第４実施形態）
第４実施形態では、接続端子（ジャック）のプラグ信号の判別方式として、電圧変化判別方式を採用し、音声入出力兼用ジャック１が（イ）ヘッドホン音声出力のためのヘッドホン端子として用いられるのか又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、のいずれか３通りの１つを判定することを採用する。さらに、（ニ）ヘッドホン音声出力のためのヘッドホン端子か、又はイヤホン出力プラグからのイヤホン接続（片耳用のヘッドホン）端子が３極ステレオプラグ２３（イヤホン接続の場合は３極モノラルプラグ３２）であるか、２極モノラルプラグ１３８であるか、（ホ）マイク音声入力プラグからのマイク音声入力端子が３極モノラルプラグ３２であるか、２極モノラルプラグ１３８であるかの判定も可能である。
【０１１９】
本実施形態において、音声入出力兼用ジャック１に接続される対象はヘッドホン音声出力プラグと、ＭＰ３プレーヤ音声入力プラグと、マイク音声入力プラグと、イヤホン出力プラグとする。ヘッドホン音声出力プラグとＭＰ３プレーヤ音声入力プラグの形状としては、図４Ａに記載のように３極ステレオプラグ２３を使用する。
【０１２０】
マイク音声入力端子やイヤホン出力プラグとしては、図４Ｂに示すように３極モノラルプラグ３２である。３極モノラルプラグ３２は、いわゆるモノラル用プラグである。３極モノラルプラグ３２の先端に形成される電極である音声Ｌ信号電極３２Ｃには、突起を備えており、音声Ｌ信号を送受信する。３極モノラルプラグ３２を使用するため、３２Ｂと３２Ｃは同一信号電極である。音声Ｌ信号電極３２Ｃと音声Ｌ信号電極３２Ｂとの間には絶縁リング３２Ｚが設けられており、両電極は互いに絶縁されている。また、音声Ｌ信号電極３２Ｂとグラウンド信号電極３２Ａとの間にも絶縁リング３２Ｚが設けられており、両電極は互いに絶縁されている。
【０１２１】
さらに本実施形態から判定が可能となる２極モノラルプラグ１３８を図４Ｃに示す。２極モノラルプラグ１３８は、いわゆるモノラル用プラグである。２極モノラルプラグ１３８の先端に形成される電極である音声信号電極１３８Ｂには、突起を備えており、音声信号を送受信する。２極モノラルプラグ１３８には、音声信号用としてはひとつの信号電極（音声信号電極１３８Ｂ）しか備えていない。音声信号電極１３８Ｂとグラウンド信号電極１３８Ａとの間には絶縁リング１３８Ｚが設けられており、両電極は互いに絶縁されている。なお、グラウンド信号電極１３８Ａは、図４Ａの音声Ｒ信号電極２３Ｂや音声Ｌ信号電極３２Ｂの位置まで延伸されている。従って、２極モノラルプラグ１３８が用いられる場合、音声入出力兼用ジャック１の端子１ａは、常にＧＮＤ固定となる。
【０１２２】
ヘッドホン音声出力のためのヘッドホン端子とイヤホン接続（片耳用のヘッドホン）端子から測定できる抵抗値は同じ程度のものを使用するものとする。マイク音声入力プラグからの測定できる抵抗値は２．３ＫΩ程度のものを使用するものとする。
【０１２３】
本実施形態においては、前記の実施形態と同様に、第１の電位発生用抵抗２４及び第２の電位発生用抵抗２５は１ＫΩ程度のものを使用する。また、第３の電位発生用抵抗３３及び第４の電位発生用抵抗３４は１６Ω程度のものを使用する。
【０１２４】
上記のような接続プラグにおいて、音声入出力兼用ジャック１に接続されたプラグ信号の判別方式には、抵抗接続による電圧変化判別方式を用いる。
【０１２５】
図２１は、電子装置８５の回路構成図の一例である。第３の実施形態の図１４と比較すると、図２１では、第３実施形態に構成に加え、第３の電位発生用抵抗３３と、第４の電位発生用抵抗３４と、２極３極切換信号Ｓ３６と、第１の２極３極切換スイッチ３７と、第２の２極３極切換スイッチ３８と、第１の抵抗切換スイッチ３９と、第２の抵抗切換スイッチ４０とをさらに備える。
【０１２６】
第１の２極３極切換スイッチ３７と、第２の２極３極切換スイッチ３８とはマイコン（マイコン回路）９から２極３極切換信号Ｓ３６を受信する。比較３信号Ｓ３５は比較回路８からマイコン９へ送信する。
【０１２７】
第１の電位発生用抵抗２４と、第２の電位発生用抵抗２５と、第３の電位発生用抵抗３３と、第４の電位発生用抵抗３４とは、それぞれ、電源電圧の印加端と比較回路８との間に接続される。なお、後述する判定動作時において、電位発生Ｌ信号Ｓ２６は第１のテスト通常切換スイッチ３を介して印加される端子１ｂの端子電圧と一致し、電位発生Ｒ信号Ｓ２７は第２のテスト通常切換スイッチ４を介して印加される端子１ａの端子電圧と一致する。
【０１２８】
図２３〜２７のタイミングチャートを用いて、（イ）ヘッドホン音声出力のためのヘッドホン端子として用いられるのか、又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、を判定する制御について説明する。
【０１２９】
さらに、（ニ）ヘッドホン音声出力のためのヘッドホン端子か、又はイヤホン出力プラグからのイヤホン接続（片耳用のヘッドホン）端子が３極ステレオプラグ２３（イヤホン接続の場合は３極モノラルプラグ３２）であるか、２極モノラルプラグ１３８であるか、（ホ）マイク音声入力プラグからのマイク音声入力端子が３極モノラルプラグ３２であるか、２極モノラルプラグ１３８であるかの判定の制御についても説明する。
【０１３０】
図２３はＭＰ３プレーヤ音声入力のためのＭＰ３プレーヤ接続端子として用いられて、３極ステレオプラグ２３を用いる場合である。図２４はマイク音声入力プラグからのマイク音声入力端子として用いて、３極モノラルプラグ３２を用いた場合である。図２５はマイク音声入力プラグからのマイク音声入力端子として用いて、２極モノラルプラグ１３８を用いた場合である。図２６はヘッドホン音声出力のためのヘッドホン端子として用いられるのか（３極ステレオプラグ２３）、又はイヤホン出力プラグからのイヤホン接続（片耳用のヘッドホン、３極モノラルプラグ３２）端子として用いられている場合である。図２７はイヤホン出力プラグからのイヤホン接続（片耳用のヘッドホン）端子として用いられている場合であって、２極モノラルプラグ１３８を用いた場合である。
【０１３１】
時刻ｔ４１以前は、音声入出力兼用ジャック１に３極ステレオプラグ２３又は３極モノラルプラグ３２又は２極モノラルプラグ１３８が挿入されていない状態である。すなわち、端子１ａ及び１ｂはいずれもオープン状態となっており、ジャック接続Ｌ信号Ｓ１６及びジャック接続Ｒ信号Ｓ１７は、各々の電位が不定状態となっている。また、時刻ｔ４１以前は、システムに電源が投入されていないため、比較信号Ｓ２１及びＳ２２、テスト通常切換信号Ｓ１４及び入出力音声切換信号Ｓ１５、入力音声切換信号Ｓ２９の論理レベルも不定状態となっている。さらに本実施形態で追加構成となった２極３極切換信号Ｓ３６も不定状態となる。
【０１３２】
時刻ｔ４１において、電子装置８５に電源が投入されると、マイコン回路９が起動して、テスト通常切換信号Ｓ１４及び入出力音声切換信号Ｓ１５が各々デフォルト設定の“Ｌ”（ローレベル）及び“Ｈ”（ハイレベル）とされる。これにより、第１のテスト通常切換スイッチ３及び第２のテスト通常切換スイッチ４は、各々の入力端子と第１選択端子（Ｌ：テスト側）を接続する状態となり、第１の入出力音声切換スイッチ５及び第２の入出力音声切換スイッチ６は、各々の入力端子と第２選択端子（Ｈ：入力側）を接続する状態となる。
【０１３３】
さらに、時刻ｔ４１において、電子装置８５に電源が投入されると、入力音声切換信号Ｓ２９がデフォルト設定の“Ｌ”（ローレベル）とされる。これにより、第１の入力音声切換スイッチ３０及び第２の入力音声切換スイッチ３１は、各々の入力端子と第１選択端子（Ｌ：ＭＰ３入力側）を接続する状態となる。
【０１３４】
さらにまた、時刻ｔ４１において、２極３極切換信号Ｓ３６はデフォルト設定の“Ｈ”（ハイレベル）とされる。この場合、第１の２極３極切換スイッチ３７及び第１の２極３極切換スイッチ３８は、各々の共通端子と第１選択端子（Ｈ：３極信号側）を接続する状態となる。なお、信号Ｓ３６が“Ｌ”（ローレベル）の場合、スイッチ３７及び３８は、各々の共通端子と第２選択端子（Ｌ：２極信号側）を接続する状態となる。また、２極３極切換信号Ｓ３６は、第１の抵抗切換スイッチ３９及び第２の抵抗切換スイッチ４０へも接続されており、所定の条件によって、所定の電位発生用抵抗の切換を行う。具体的には、信号Ｓ３６が”Ｈ”のときには、第１の電位発生用抵抗２４及び第２の電位発生用抵抗２５を選択し、信号Ｓ３６が”Ｌ”のときには、第３の電位発生用抵抗３３及び第４の電位発生用抵抗３４を選択する。
【０１３５】
また、時刻ｔ４１において、音声入出力兼用ジャック１には３極ステレオプラグ２３、３極モノラルプラグ３２又は２極モノラルプラグ１３８のいずれもが未挿入のままである。音声入出力兼用ジャック１の端子１ｃと端子１ｄとが接続された状態、すなわち、挿入検知信号Ｓ２０がローレベルである状態となっているため、比較回路８は非動作状態に維持されている。このとき、比較回路８の出力である比較信号Ｓ２１及びＳ２２は、各々デフォルト設定の“Ｌ”（ローレベル）となる。比較信号Ｓ３５もローレベルである。
【０１３６】
時刻ｔ４１から、ジャック接続Ｌ信号Ｓ１６とジャック接続Ｒ信号Ｓ１７は、ＶＤＤ（電源電圧）となる。また、電位発生Ｌ信号Ｓ２６と電位発生Ｒ信号Ｓ２７も、ＶＤＤ（電源電圧）となる。
【０１３７】
時刻ｔ４２において、音声入出力兼用ジャック１に３極ステレオプラグ２３、３極モノラルプラグ３２又は２極モノラルプラグ１３８いずれかが挿入されると、プラグの突起部による押し上げにより、音声入出力兼用ジャック１の端子１ｃと端子１ｄとが無接続になる。これにより、挿入検知信号Ｓ２０が“Ｈ”（ハイレベル）となり、比較回路８が動作状態に移行される。
【０１３８】
時刻ｔ４３からｔ４４において、音声入出力兼用ジャック１が、３極ステレオプラグによるＭＰ３プレーヤ接続か、３極モノラルプラグによるマイク接続か、２極モノラルプラグによるマイク接続か、ヘッドホン接続（イヤホン接続）かを判定（第１判定処理）する。また特に、後述する図２６及び図２７の時刻ｔ４４からｔ４６においては、（ニ）ヘッドホン音声出力のためのヘッドホン端子、又はイヤホン出力プラグからのイヤホン接続（片耳用のヘッドホン）端子が３極ステレオプラグ２３（イヤホン接続の場合は３極モノラルプラグ３２）であるか、又は２極モノラルプラグ１３８であるか、の判定（第２判定処理）を行う。
【０１３９】
時刻ｔ４３において、比較回路８の起動を完了する。そして、ヘッドホン接続の場合には、端子１ａ及び１ｂがそれぞれヘッドホンＡのスピーカー抵抗（抵抗値Ｒ２）を介して接地端に接続された状態となる。従って、電位発生Ｌ信号Ｓ２６及び電位発生Ｒ信号Ｓ２７としては、第１の電位発生用抵抗２４及び第２の電位発生用抵抗２５（抵抗値Ｒ１）とスピーカー抵抗（抵抗値Ｒ２）との抵抗比に応じて電源電圧ＶＤＤを分圧することにより得られる電圧信号（＝｛Ｒ２／（Ｒ１＋Ｒ２）｝×ＶＤＤ）が得られることになる。
【０１４０】
一方、ＭＰ３プレーヤ接続の場合には、端子１ａ及び１ｂがそれぞれＤＣカット用コンデンサを介してアンプ（出力ハイインピーダンス状態）に接続されただけの状態となる。或いは、端子１ａ及び１ｂがそれぞれプルダウン抵抗（抵抗値Ｒ３）を介して接地端に接続された状態となる。前者の場合、電位発生Ｌ信号Ｓ２６及び電位発生Ｒ信号Ｓ２７は電源電圧ＶＤＤそのものとなり、後者の場合には、電位発生Ｌ信号Ｓ２６及び電位発生Ｒ信号Ｓ２７として、第１の電位発生用抵抗２４及び第２の電位発生用抵抗２５（抵抗値Ｒ１）とプルダウン抵抗（抵抗値Ｒ３）との抵抗比に応じて電源電圧ＶＤＤを分圧することにより得られる電圧信号（＝｛Ｒ３／（Ｒ１＋Ｒ３）｝×ＶＤＤ）が得られることになる。
【０１４１】
さらに、３極モノラルプラグを用いたマイク接続の場合には、端子１ａ及び１ｂがそれぞれマイクＣの抵抗（抵抗値Ｒ４）を介して接地端に接続された状態となる。従って、電位発生Ｌ信号Ｓ２６及び電位発生Ｒ信号Ｓ２７としては、それぞれ、第１の電位発生用抵抗２４（及び第２の電位発生用抵抗２５抵抗値Ｒ１）とマイク抵抗（抵抗値Ｒ４）との抵抗比に応じて電源電圧ＶＤＤを分圧することにより得られる電圧信号（＝｛Ｒ４／（Ｒ１＋Ｒ４）｝×ＶＤＤ）が得られることになる。一方、２極モノラルプラグを用いたマイク接続の場合には、端子１ａが常にＧＮＤ固定となるため、電位発生Ｒ信号Ｓ２７は０Ｖとなる。
【０１４２】
図２３及び図２８Ｂに示すように、ＭＰ３プレーヤ接続の場合には、ジャック接続Ｌ信号Ｓ１６はＭＰ３プレーヤからの音声入力（Ｌ）となり、ジャック接続Ｒ信号Ｓ１７はＭＰ３プレーヤからの音声入力（Ｒ）となる。しかしながら、ＭＰ３プレーヤからの音声入力はなく、未入力の状態になる。この場合には、端子１ａ及び１ｂがそれぞれＤＣカット用コンデンサを介してアンプ（出力ハイインピーダンス状態）に接続されただけの状態となり、電位発生Ｌ信号Ｓ２６は電源電圧ＶＤＤそのものとなる。
【０１４３】
或いは、端子１ａ及び１ｂがそれぞれプルダウン抵抗（抵抗値Ｒ３）を介して接地端に接続された状態となり、電位発生Ｌ信号Ｓ２６及び電位発生Ｒ信号Ｓ２７として、それぞれ、第１の電位発生用抵抗２４及び第２の電位発生用抵抗２５（抵抗値Ｒ１）とプルダウン抵抗（抵抗値Ｒ３）との抵抗比に応じて電源電圧ＶＤＤを分圧することにより得られる電圧信号となる。そうすると、電位発生Ｌ信号Ｓ２６及び電位発生Ｒ信号Ｓ２７のいずれも第２閾値電圧（Ｖｔｈ２）以上となる。上記のようにＭＰ３プレーヤ接続の場合には、第１判定処理にて判定が可能である。
【０１４４】
図２４は、マイク音声入力プラグからのマイク音声入力端子が３極モノラルプラグ３２である（３極マイク接続）。図２４及び図３０Ｂに示すように、２極マイク接続の場合には、電位発生Ｌ信号Ｓ２６は電位発生Ｌ信号Ｓ２６及び電位発生Ｒ信号Ｓ２７は、いずれも電圧信号（＝｛Ｒ４／（Ｒ１＋Ｒ４）｝×ＶＤＤ）であり、Ｒ４は２．３ＫΩ程度のものである。そうすると、電位発生Ｌ信号Ｓ２６が第１閾値電圧（Ｖｔｈ１）以上、第２閾値電圧（Ｖｔｈ２）未満となる。一方、電位発生Ｒ信号Ｓ２７はＧＮＤである。
【０１４５】
図２５は、マイク音声入力プラグからのマイク音声入力端子が２極モノラルプラグ１３８である（２極マイク接続）。図２５及び図３０Ｂに示すように、３極マイク接続の場合には、電圧信号（＝｛Ｒ４／（Ｒ１＋Ｒ４）｝×ＶＤＤ）であり、Ｒ４は２．３ＫΩ程度のものである。そうすると、電位発生Ｌ信号Ｓ２６及び電位発生Ｒ信号Ｓ２７の一方が第１閾値電圧（Ｖｔｈ１）以上、第２閾値電圧（Ｖｔｈ２）未満となる。
【０１４６】
即ち、図２５の時刻ｔ４２〜ｔ４４のジャック接続Ｒ信号Ｓ１７がＧＮＤの状態となっているため、電位発生Ｒ信号Ｓ２７は“０“となる。これを受けて、比較３信号Ｓ３５はデフォルトの“Ｌ”（ローレベル）から“Ｈ”（ハイレベル；Ｓ２６とＳ２７が不一致）へと変化し、マイコン９へ送信する。以上のように、マイク音声入力プラグからのマイク音声入力端子が２極モノラルプラグ１３８である（２極マイク接続）の場合には、電位発生Ｌ信号Ｓ２６と電位発生Ｒ信号Ｓ２７との一致／不一致が判別可能であるため、２極／３極の判定が可能となる。
【０１４７】
図２６はヘッドホン音声出力のためのヘッドホン端子、又はイヤホン出力プラグからのイヤホン接続（片耳用のヘッドホン）端子が３極ステレオプラグ２３（イヤホン接続の場合は３極モノラルプラグ３２）の場合のタイミングチャートである。一方、図２７はイヤホン出力プラグからのイヤホン接続（片耳用のヘッドホン）端子が２極モノラルプラグ１３８の場合のタイミングチャートである。ヘッドホン音声出力のためのヘッドホン端子からの接続（ヘッドホン接続）は、２極モノラルプラグ１３８からの接続の場合は無い。
【０１４８】
図２６及び図２７の時刻ｔ４３〜ｔ４４や図２８Ｂで示すように、ヘッドホン接続（イヤホン接続）の場合には、３極プラグによる接続であっても、２極プラグによる接続であっても、ジャック接続Ｌ信号Ｓ１６及びジャック接続Ｒ信号Ｓ１７のいずれも無信号となり、電位発生Ｌ信号Ｓ２６及び電位発生Ｒ信号Ｓ２７のいずれも第１閾値電圧（Ｖｔｈ１）未満となる。しかしながら、２極プラグによる接続の場合には、ジャック接続Ｒ信号Ｓ１７がＧＮＤされているため、２極イヤホン接続の場合のみ電位発生Ｒ信号Ｓ２７が“０”になる。一方、２極イヤホン接続の場合の電位発生Ｌ信号Ｓ２６や、３極イヤホン接続の場合の電位発生Ｌ信号Ｓ２６及び電位発生Ｒ信号Ｓ２７は、いずれも第１閾値電圧（Ｖｔｈ１）未満となるが“０”ではない。つまり、３極プラグによる接続であっても、２極プラグによる接続であっても、電位発生Ｌ信号Ｓ２６と電位発生Ｒ信号Ｓ２７は共にＶｔｈ１未満となるため、その一致／不一致によって２極／３極を判定することができない。
【０１４９】
そこで、第３閾値電圧（Ｖｔｈ３）を用いることによって、上記を判定するための第２判定処理を説明する。時刻ｔ４３〜ｔ４４で示すように、電位発生Ｌ信号Ｓ２６及び電位発生Ｒ信号Ｓ２７のいずれも第１閾値電圧（Ｖｔｈ１）未満となると、２極３極切換信号Ｓ３６はデフォルトの“Ｈ”（ハイレベル）から“Ｌ”（ローレベル）へと切換を行う。切換が行なわれると、第１の抵抗切換スイッチ３９は第３の電位発生用抵抗３３へと、第２の抵抗切換スイッチ４０は第４の電位発生用抵抗３４へと切換が行われる。
【０１５０】
電位発生抵抗がより低抵抗なものに変更となることで、電位発生Ｌ信号Ｓ２６及び電位発生Ｒ信号Ｓ２７は、２極イヤホン接続の電位発生Ｒ信号Ｓ２７以外は、第３閾値電圧（Ｖｔｈ３）を超えることになる。そうすると、図３０Ｃのような結果を得ることで判定が可能となる。
【０１５１】
図２２を用いて、さらに説明する。図２２は比較回路８が備えるロジック部８３の制御である。電位発生Ｌ信号Ｓ２６は、コンパレータ８１Ｌとコンパレータ８２Ｌとコンパレータ８４Ｌへ送信し、電位発生Ｒ信号Ｓ２７は、コンパレータ８１Ｒとコンパレータ８２Ｒとコンパレータ８４Ｒへ送信する。コンパレータ８１Ｌとコンパレータ８１Ｒとは第１閾値電圧（Ｖｔｈ１）を比較し、コンパレータ８２Ｌとコンパレータ８２Ｒとは第２閾値電圧（Ｖｔｈ２）を比較し、コンパレータ８４Ｌとコンパレータ８４Ｒとは第３閾値電圧（Ｖｔｈ３）を比較する。
【０１５２】
比較１信号Ｓ２１と比較２信号Ｓ２２と比較３信号Ｓ３５は、図２８に示すように、第１判定処理中には、（１）ヘッドホン接続、３極イヤホン接続、２極イヤホン接続（ＬＬＬ）、（２）３極マイク接続（ＨＬＬ）、（３）２極マイク接続（ＨＬＨ）、（４）ＭＰ３プレーヤ接続、ヘッドホン接続（ＨＨＬ）の４つの値を取り得る。また、図２８Ｃに示すように、第２判定処理中には、（５）ヘッドホン接続、３極イヤホン接続（ＨＨＬ）、（６）２極イヤホン接続（ＨＬＨ）の２つの値を取り得る。これらの値を組み合わせて出力することで、（イ）ヘッドホン音声出力のためのヘッドホン端子として用いられるのか、又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、を判定する制御が可能とともに、（ニ）ヘッドホン音声出力のためのヘッドホン端子か、又はイヤホン出力プラグからのイヤホン接続（片耳用のヘッドホン）端子が３極ステレオプラグ２３（イヤホン接続の場合は３極モノラルプラグ３２）であるか、２極モノラルプラグ１３８であるか、（ホ）マイク音声入力プラグからのマイク音声入力端子が３極モノラルプラグ３２であるか、２極モノラルプラグ１３８であるかの判定の制御についても可能となる。
【０１５３】
時刻ｔ４４（またはｔ４６）において、上記の判定処理を完了する。時刻ｔ４４（またはｔ４６）〜ｔ４５は判定完了後（通常動作時）の制御である。時刻ｔ４５からは、音声入出力兼用ジャック１から３極ステレオプラグ２３、３極モノラルプラグ３２又は２極モノラルプラグ３８のいずれか１つを抜き取った状態である。この場合、挿入検知信号Ｓ２０が未検知状態“Ｌ”（ローレベル）となる。
【０１５４】
以上のようなタイミングチャートで処理は終了する。
【０１５５】
本実施形態における電子装置８５は、２系統設けられた前記第２信号入力用経路のうち、前記第２端子に対応して設けられた系統を使用状態とするか不使用状態とするかを選択する第４セレクタ（第１の２極３極切換スイッチ３７）をさらに有し、前記比較回路８は、２系統設けられた前記プラグ判定用信号経路に各々現れる電位発生信号が一致しているか否かを示す一致判定信号をさらに生成するものであり、前記制御部（マイコン）９は、前記プラグ判別動作時には、前記入出力兼用ジャックを前記プラグ判別用信号経路に接続するように前記第１セレクタ（第１のテスト通常切換スイッチ３、第２のテスト通常切換スイッチ４）を制御し、前記通常動作時には、前記入出力兼用ジャックを前記通常用信号経路に接続するように前記第１セレクタ（第１のテスト通常切換スイッチ３、第２のテスト通常切換スイッチ４）を制御するとともに、前記プラグ判別動作時に得られた前記比較結果信号及び前記一致判定信号に基づいて、２系統の前記電位発生信号がいずれも前記第２閾値電圧（Ｖｔｈ２）よりも高いと判断されるときには、前記通常用信号経路を前記信号入力用経路に接続した上で、さらに、前記信号入力用経路を前記第１信号入力用経路に接続するように、また、２系統の前記電位発生信号がいずれも前記第１閾値電圧（Ｖｔｈ１）よりも高く、前記第２閾値電圧（Ｖｔｈ２）よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、また、前記第１端子に対応する前記電位発生信号が前記第１閾値電圧（Ｖｔｈ１）よりも高く、前記第２閾値電圧（Ｖｔｈ２）よりも低いと判断される一方で、前記第２端子に対応する前記電位発生信号が前記第１閾値電圧（Ｖｔｈ１）よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、また、２系統の前記電位発生信号がいずれも前記第１閾値電圧（Ｖｔｈ１）よりも低いと判断されるときには、前記通常用信号経路を前記信号出力用経路に接続するように、 前記第２セレクタ（第１の入出力音声切換スイッチ５、第２の入出力音声切換スイッチ６）、前記第３セレクタ（第１の入力音声切換スイッチ３０、第２の入力音声切換スイッチ３１）、及び、前記第４セレクタ（第１の２極３極切換スイッチ３７）を各々制御することを特徴とする。
【０１５６】
上記構成により、接続端子（ジャック）のプラグ信号の判別方式として、電圧変化判別方式を採用し、音声入出力兼用ジャック１が（イ）ヘッドホン音声出力のためのヘッドホン端子として用いられるのか又はイヤホン出力プラグからのイヤホン接続（片耳用のヘッドホン）端子として用いられているのか、（ロ）マイク音声入力プラグからのマイク音声入力端子として用いられるのか、（ハ）ＭＰ３プレーヤ音声入力のためのＭＰ３プレーヤ接続端子として用いられているのか、のいずれか３通りの１つを判定することを採用する。さらに、（ホ）マイク音声入力プラグからのマイク音声入力端子が３極モノラルプラグ３２であるか、２極モノラルプラグ１３８であるかの判定が可能となる。
【０１５７】
また、本実施形態における電子装置８５は、２系統設けられた前記信号出力用経路のうち、前記第２端子に対応して設けられた系統を使用状態とするか不使用状態とするかを選択する第５セレクタ（第２の２極３極切換スイッチ３８）と；前記第１端子及び前記第２端子に各々対応して設けられ、前記電位発生用抵抗として択一的に用いられる第１抵抗（第１の電位発生用抵抗２４、第２の電位発生用抵抗２５）及びこれよりも低抵抗値の第２抵抗（第３の電位発生用抵抗３３、第４の電位発生用抵抗３４）と；前記第１端子及び前記第２端子に各々対応して設けられ、前記電位発生用抵抗として前記第１抵抗（第１の電位発生用抵抗２４、第２の電位発生用抵抗２５）を用いるか前記第２抵抗（第３の電位発生用抵抗３３、第４の電位発生用抵抗３４）を用いるかを選択する第６セレクタ（第１の抵抗切換スイッチ３９、第２の抵抗切換スイッチ４０）と；をさらに有し、前記比較回路８は、前記閾値電圧として、前記第１閾値電圧（Ｖｔｈ１）及び前記第２閾値電圧（Ｖｔｈ２）とは異なる第３閾値電圧（Ｖｔｈ３）を備え、前記電位発生用抵抗として前記第１抵抗（第１の電位発生用抵抗２４、第２の電位発生用抵抗２５）が選択されている場合には、前記電位発生信号と前記第１閾値電圧（Ｖｔｈ１）及び前記第２閾値電圧（Ｖｔｈ２）とを各々比較して前記比較結果信号を生成する一方、前記電位発生用抵抗として前記第２抵抗（第３の電位発生用抵抗３３、第４の電位発生用抵抗３４）が選択されている場合には、前記電位発生信号と前記第３閾値電圧（Ｖｔｈ３）とを比較して前記比較結果信号を生成するものであり、前記制御部（マイコン）９は、前記プラグ判別動作時には、前記入出力兼用ジャックを前記プラグ判別用信号経路に接続するように前記第１セレクタを制御するとともに、前記比較結果信号及び前記一致判定信号に基づいて前記第６セレクタ（第１の抵抗切換スイッチ３９、第２の抵抗切換スイッチ４０）を制御し、前記通常動作時には、前記入出力兼用ジャックを前記通常用信号経路に接続するように前記第１セレクタ（第１のテスト通常切換スイッチ３、第２のテスト通常切換スイッチ４）を制御するとともに、前記プラグ判別動作時に得られた前記比較結果信号及び前記一致判定信号に基づいて、前記電位発生用抵抗として前記第１抵抗（第１の電位発生用抵抗２４、第２の電位発生用抵抗２５）が選択されている状態で、２系統の前記電位発生信号がいずれも前記第２閾値電圧（Ｖｔｈ２）よりも高いと判断されるときには、前記通常用信号経路を前記信号入力用経路に接続した上で、さらに、前記信号入力用経路を前記第１信号入力用経路に接続するように、また、前記電位発生用抵抗として前記第１抵抗（第１の電位発生用抵抗２４、第２の電位発生用抵抗２５）が選択されている状態で、２系統の前記電位発生信号がいずれも前記第１閾値電圧（Ｖｔｈ１）よりも高く、前記第２閾値電圧（Ｖｔｈ２）よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を使用状態とするように、また、前記電位発生用抵抗として前記第１抵抗（第１の電位発生用抵抗２４、第２の電位発生用抵抗２５）が選択されている状態で、前記第１端子に対応する前記電位発生信号が前記第１閾値電圧（Ｖｔｈ１）よりも高く、前記第２閾値電圧（Ｖｔｈ２）よりも低いと判断される一方で、前記第２端子に対応する前記電位発生信号が前記第１閾値電圧（Ｖｔｈ１）よりも低いと判断されるときには、前記通常用信号経路を前記信号入力用経路に接続した上で、前記信号入力用経路を前記第２信号入力用経路に接続し、さらに、２系統設けられた前記第２信号入力用経路のうち、前記第２端子に対応して設けられた系統を不使用状態とするように、また、前記電位発生用抵抗として前記第１抵抗（第１の電位発生用抵抗２４、第２の電位発生用抵抗２５）が選択されている状態で、２系統の前記電位発生信号がいずれも前記第１閾値電圧（Ｖｔｈ１）よりも低いと判断された結果、前記電位発生用抵抗が前記第１抵抗（第１の電位発生用抵抗２４、第２の電位発生用抵抗２５）から前記第２抵抗（第３の電位発生用抵抗３３、第４の電位発生用抵抗３４）に切り替えられ、前記電位発生用抵抗として前記第２抵抗（第３の電位発生用抵抗３３、第４の電位発生用抵抗３４）が選択されている状態で、２系統の前記電位発生信号がいずれも前記第３閾値電圧（Ｖｔｈ３）よりも高いと判断されるときには、前記通常用信号経路を前記信号出力用経路に接続した上で、さらに、２系統設けられた前記信号出力用経路のうち、前記第２端子に対応して設けられた系統を使用状態とするように、また、前記電位発生用抵抗として前記第１抵抗（第１の電位発生用抵抗２４、第２の電位発生用抵抗２５）が選択されている状態で、２系統の前記電位発生信号がいずれも前記第１閾値電圧（Ｖｔｈ１）よりも低いと判断された結果、前記電位発生用抵抗が前記第１抵抗（第１の電位発生用抵抗２４、第２の電位発生用抵抗２５）から前記第２抵抗（第３の電位発生用抵抗３３、第４の電位発生用抵抗３４）に切り替えられ、前記電位発生用抵抗として前記第２抵抗（第３の電位発生用抵抗３３、第４の電位発生用抵抗３４）が選択されている状態で、前記第１端子に対応する前記電位発生信号が前記第３閾値電圧（Ｖｔｈ３）よりも高いと判断される一方で、前記第２端子に対応する前記電位発生信号が前記第３閾値電圧（Ｖｔｈ３）よりも低いと判断されるときには、前記通常用信号経路を前記信号出力用経路に接続した上で、さらに、２系統設けられた前記信号出力用経路のうち、前記第２端子に対応して設けられた系統を不使用状態とするように、前記第２セレクタ（第１の入出力音声切換スイッチ５、第２の入出力音声切換スイッチ６）、前記第３セレクタ（第１の入力音声切換スイッチ３０、第２の入力音声切換スイッチ３１）、前記第４セレクタ（第１の２極３極切換スイッチ３７）、及び、前記第５セレクタ（第２の２極３極切換スイッチ３８）を各々制御することを特徴とする。
【０１５８】
この構成により、（ニ）ヘッドホン音声出力のためのヘッドホン端子か、又はイヤホン出力プラグからのイヤホン接続（片耳用のヘッドホン）端子が３極ステレオプラグ２３（イヤホン接続の場合は３極モノラルプラグ３２）であるか、２極モノラルプラグ１３８であるか、の判定も可能となる。
【０１５９】
本発明は、上述した実施形態に限定されない。本発明に係る電子装置８５の各部の具体的な構成は、種々に設計変更可能である。
【符号の説明】
【０１６０】
１      音声入出力兼用ジャック
１ａ    端子
１ｂ    端子
１ｃ    端子
１ｄ    端子
１ｅ    端子
２      挿入検知用のプルアップ抵抗
３      第１のテスト通常切換スイッチ
４      第２のテスト通常切換スイッチ
５      第１の入出力音声切換スイッチ
６      第２の入出力音声切換スイッチ
７      平滑回路
８      比較回路
９      マイコン回路
Ｓ１０  ヘッドホン音声出力Ｌ信号
Ｓ１１  ＭＰ３プレーヤ音声入力Ｌ信号
Ｓ１２  ヘッドホン音声出力Ｒ信号
Ｓ１３  ＭＰ３プレーヤ音声入力Ｒ信号
Ｓ１４  テスト通常切換信号
Ｓ１５  入出力音声切換信号
Ｓ１６  ジャック接続Ｌ信号
Ｓ１７  ジャック接続Ｒ信号
Ｓ１８  信号有無検知用Ｌ信号
Ｓ１８ｓ  平滑後信号有無検知用Ｌ信号
Ｓ１９  信号有無検知用Ｒ信号
Ｓ１９ｓ  平滑後信号有無検知用Ｒ信号
Ｓ２０  挿入検知信号
Ｓ２１  比較１信号
Ｓ２２  比較２信号
２３    ３極ステレオプラグ
２３Ａ  グラウンド信号電極
２３Ｂ  音声Ｒ信号電極
２３Ｃ  音声Ｌ信号電極
２３Ｚ  絶縁リング
２４    第１の電位発生用抵抗（抵抗値Ｒ１）
２５    第２の電位発生用抵抗
Ｓ２６  電位発生Ｌ信号
Ｓ２７  電位発生Ｒ信号
Ｓ２８  マイク音声入力信号
Ｓ２９  入力音声切換信号
３０    第１の入力音声切換スイッチ
３１    第２の入力音声切換スイッチ
３２    ３極モノラルプラグ
３３    第３の電位発生用抵抗
３４    第４の電位発生用抵抗
Ｓ３５  比較３信号
Ｓ３６  ２極３極切換信号
３７    第１の２極３極切換スイッチ
３８    第２の２極３極切換スイッチ
３９    第１の抵抗切換スイッチ
４０    第２の抵抗切換スイッチ
８５    電子装置
１３８    ２極モノラルプラグ
１３８Ａ  グラウンド信号電極
１３８Ｂ  音声信号電極
１３８Ｚ  絶縁リング
【図１】
2011217228.tif 000003
【図２Ａ】
2011217228.tif 000004
【図２Ｂ】
2011217228.tif 000005
【図３】
2011217228.tif 000006
【図４Ａ】
2011217228.tif 000007
【図４Ｂ】
2011217228.tif 000008
【図４Ｃ】
2011217228.tif 000009
【図５】
2011217228.tif 000010
【図６】
2011217228.tif 000011
【図７Ａ】
2011217228.tif 000012
【図７Ｂ】
2011217228.tif 000013
【図７Ｃ】
2011217228.tif 000014
【図８】
2011217228.tif 000015
【図９】
2011217228.tif 000016
【図１０Ａ】
2011217228.tif 000017
【図１０Ｂ】
2011217228.tif 000018
【図１１】
2011217228.tif 000019
【図１２】
2011217228.tif 000020
【図１３Ａ】
2011217228.tif 000021
【図１３Ｂ】
2011217228.tif 000022
【図１３Ｃ】
2011217228.tif 000023
【図１４】
2011217228.tif 000024
【図１５】
2011217228.tif 000025
【図１６】
2011217228.tif 000026
【図１７】
2011217228.tif 000027
【図１８】
2011217228.tif 000028
【図１９】
2011217228.tif 000029
【図２０Ａ】
2011217228.tif 000030
【図２０Ｂ】
2011217228.tif 000031
【図２０Ｃ】
2011217228.tif 000032
【図２１】
2011217228.tif 000033
【図２２】
2011217228.tif 000034
【図２３】
2011217228.tif 000035
【図２４】
2011217228.tif 000036
【図２５】
2011217228.tif 000037
【図２６】
2011217228.tif 000038
【図２７】
2011217228.tif 000039
【図２８Ａ】
2011217228.tif 000040
【図２８Ｂ】
2011217228.tif 000041
【図２８Ｃ】
2011217228.tif 000042
【図２８Ｄ】
2011217228.tif 000043
【図２９】
2011217228.tif 000044